(57)【要約】【課題】AV機器の選局番組表に基づいた選局操作を直感的かつ容易に行うことができるようにする。【解決手段】領域２３０において、操作部が、ユーザに操作されて、原位置である中心座標２３２より図中上側に進み、線分Ａ−Ａ'を通過してスロウ領域２３２内に移動し、一定時間Ｔ１内に、線分Ａ−Ａ'と線分Ｂ−Ｂ'との距離を示すスロウ判定変位２３４の２／３以上の変位量を持ち、かつ一定時間Ｔ２（Ｔ１＜Ｔ２）内に線分Ｂ−Ｂ'に到達する動作が行われると、表示制御部は、制御用表示情報作成部により作成された選局操作画像をLCDに表示させ、選局指示部は、入力受付部が受け付けた選局操作により選択された局を選択する選局指示を、通信制御部を介して処理対象の録画装置に送信する。本発明は、情報処理装置に適用することができる。【選択図】図１３
2007208961.tif 000002
【特許請求の範囲】
【請求項１】
放送波を受信する放送波受信装置による選局を制御する情報処理装置であって、
前記放送波による放送の番組表を表示する番組表表示手段と、
前記番組表表示手段により表示された前記番組表に対して入力される、前記放送波受信装置に所望の放送局を選局させるための動作である選局動作を受け付ける選局動作受付手段と、
前記選局動作受付手段により受け付けられた前記選局動作に基づいて、前記放送波受信装置に対して選局を指示する選局指示手段と
を備える情報処理装置。
【請求項２】
前記選局動作受付手段は、原位置からの角度方向と移動した距離とに応じたアナログ値を出力するアナログコントローラである
請求項１に記載の情報処理装置。
【請求項３】
前記選局動作は、前記アナログコントローラの操作部の可動範囲内の所定の領域内において、ユーザが前記操作部を、前記番組表表示手段に表示されている所望の放送局の番組表を前記放送波受信装置に対して投げるように動かすことである
請求項２に記載の情報処理装置。
【請求項４】
前記選局動作受付手段は、前記番組表表示手段により表示されたオプション画面に基づいて行う前記選局の実行指示とは異なる方法で行われる前記選局動作を受け付ける
請求項１に記載の情報処理装置。
【請求項５】
前記放送の各番組に関する情報を含む番組情報を取得する番組情報取得手段と、
前記番組情報取得手段により取得された前記番組情報に基づいて前記番組表を作成する番組表作成手段と
をさらに備え、
前記番組表表示手段は、前記番組表作成手段により作成された前記番組表を表示する
請求項１に記載の情報処理装置。
【請求項６】
前記番組表表示手段は、前記選局動作受付手段により前記選局動作が受け付けられると、選局の様子をイメージした動画である選局動画を表示する
請求項１に記載の情報処理装置。
【請求項７】
前記選局動画は、前記選局動作により指定された放送局の番組表が、前記放送波受信装置に向かって投げられて飛んでいくようなイメージを与える動画である
請求項６に記載の情報処理装置。
【請求項８】
前記選局指示手段は、所定のプロトコルを用いて前記放送波受信装置と通信を行い、前記通信により前記選局の指示を前記放送波受信装置に供給する
請求項１に記載の情報処理装置。
【請求項９】
無線通信を行う無線通信インタフェースを有し、
前記選局指示手段は、前記無線通信インタフェースを介して前記放送波受信装置と通信を行い、前記通信により前記選局の指示を前記放送波受信装置に供給する
請求項１に記載の情報処理装置。
【請求項１０】
放送波を受信する放送波受信装置による選局を制御する情報処理装置の情報処理方法であって、
前記放送波による放送の番組表を表示部に表示させ、
前記表示部に表示された前記番組表に対して入力される、前記放送波受信装置に所望の放送局を選局させるための動作である選局動作を受け付け、
受け付けられた前記選局動作に基づいて、前記放送波受信装置に対して選局を指示する
ステップを含む情報処理方法。
【請求項１１】
放送波を受信する放送波受信装置による選局を制御する処理をコンピュータに行わせるプログラムであって、
前記放送波による放送の番組表を表示部に表示させ、
前記表示部に表示された前記番組表に対して入力される、前記放送波受信装置に所望の放送局を選局させるための動作である選局動作を受け付け、
受け付けられた前記選局動作に基づいて、前記放送波受信装置に対して選局を指示する
ステップを含むプログラム。
【請求項１２】
放送波を受信する放送波受信装置による選局、番組の録画予約、または視聴予約を制御する情報処理装置であって、
前記放送波による放送の番組表を表示する番組表表示手段と、
前記番組表表示手段により表示された前記番組表に対して入力される、前記放送波受信装置に所望の放送局を選局させるか、番組の録画予約をさせるか、または番組の視聴予約をさせるための動作による指示を受け付け、前記動作により原位置からの角度方向と移動した距離とに応じたアナログ値を出力する受付手段と、
前記受付手段により受け付けられた前記動作による指示に基づいて、前記放送波受信装置に対して選局、録画予約、または視聴予約を指示する指示手段と
を備える情報処理装置。
【請求項１３】
前記指示手段は、
前記受付手段により受け付けられた前記動作による指示に基づいて、前記放送波受信装置に対して選局を指示する選局指示手段と、
前記受付手段により受け付けられた前記動作による指示に基づいて、前記放送波受信装置に対して番組の録画予約または視聴予約を指示する予約指示手段と
を備える請求項１２に記載の情報処理装置。
【請求項１４】
前記受付手段により前記動作による指示が受け付けられた場合、前記番組表上において指定されている番組の放送開始時刻が、現在時刻よりも後の時刻であるか否かを判定する判定手段をさらに備え、
前記選局指示手段は、前記放送開始時刻が前記現在時刻よりも後の時刻でない場合、前記番組表上において指定されている番組を放送する放送局が選局されるように、選局を指示し、
前記予約指示手段は、前記放送開始時刻が前記現在時刻よりも後の時刻である場合、前記番組表上において指定されている番組の録画予約または視聴予約を指示する
請求項１３に記載の情報処理装置。
【請求項１５】
前記受付手段はアナログコントローラである
請求項１２に記載の情報処理装置。
【請求項１６】
前記動作は、前記アナログコントローラの操作部の可動範囲内の所定の領域内において、ユーザが前記操作部を、前記放送波受信装置に対してスライドさせるように動かすことである
請求項１５に記載の情報処理装置。
【請求項１７】
前記番組表表示手段は、前記受付手段により録画予約または視聴予約をさせるための動作による指示が受け付けられると、録画予約または視聴予約の様子を象徴する動画である録画予約動画または視聴予約動画を表示する
請求項１２に記載の情報処理装置。
【請求項１８】
前記録画予約動画または前記視聴予約動画は、前記動作により指定された前記番組表上の番組枠が、前記放送波受信装置に向かって投げられて飛んでいく様子を模した動画である
請求項１７に記載の情報処理装置。
【請求項１９】
放送波を受信する放送波受信装置による選局、番組の録画予約、または視聴予約を制御する情報処理装置の情報処理方法であって、
前記放送波による放送の番組表を表示部に表示させ、
前記表示部に表示された前記番組表に対して入力される、前記放送波受信装置に所望の放送局を選局させるか、番組の録画予約をさせるか、または番組の視聴予約をさせるための動作により、原位置からの角度方向と移動した距離とに応じたアナログ値を出力する受付手段が、前記動作による指示を受け付け、
受け付けられた前記動作による指示に基づいて、前記放送波受信装置に対して選局、録画予約、または視聴予約を指示する
ステップを含む情報処理方法。
【請求項２０】
放送波を受信する放送波受信装置による選局、番組の録画予約、または視聴予約を制御する処理をコンピュータに行わせるプログラムであって、
前記放送波による放送の番組表を表示部に表示させ、
前記表示部に表示された前記番組表に対して入力される、前記放送波受信装置に所望の放送局を選局させるか、番組の録画予約をさせるか、または番組の視聴予約をさせるための動作により、原位置からの角度方向と移動した距離とに応じたアナログ値を出力する受付手段が、前記動作による指示を受け付け、
受け付けられた前記動作による指示に基づいて、前記放送波受信装置に対して選局、録画予約、または視聴予約を指示する
ステップを含むプログラム。
【発明の詳細な説明】
【技術分野】
【０００１】
本発明は、情報処理装置および方法、並びにプログラムに関し、特に、番組表に基づいたAV機器の選局操作、録画予約を指示するための操作、または視聴予約を指示するための操作を直感的かつ容易に行うことができるようにした情報処理装置および方法、並びにプログラムに関する。
【背景技術】
【０００２】
従来、テレビジョン放送等の放送される番組の番組名や放送時間、番組のジャンル等の番組情報を記述したEPG（Electronic Program Guide：電子番組表）データが、テレビジョン受像機やビデオレコーダ等のAV機器に提供されている。このEPGデータは、テレビジョン放送波のブランキング区間に多重化されて送信されたり、ディジタル衛星放送の特定チャンネルを介して１日に数回所定時間に送信されたり、あるいはインターネット上のサーバから適宜供給される等、様々な方法を用いて提供されている。
【０００３】
このようなEPGデータを取得するAV機器は、EPGデータがテレビジョン放送波に多重化されて提供されている場合、受信したテレビジョン放送波からEPGデータを抽出して蓄積する。そしてAV機器は、ユーザの呼び出し操作に応じて、各チャンネルの番組情報を一覧表示する電子番組表画面（以下、EPG画面と呼ぶ）を、蓄積したEPGデータに基づいて作成し、それを表示部に表示する。通常、このEPG画面は、GUI（Graphical User Interface）画面となっており、ユーザは、その電子番組表を閲覧して番組内容を把握するだけでなく、リモートコントローラ等を操作することにより、このEPG画面を用いて、例えば、番組録画予約や番組表示選局等の、AV機器の制御を行うことができる（例えば、特許文献１参照）。
【０００４】
特許文献１においては、電子番組表情報に基づいて生成した番組情報一覧画面を、リモートコントロール装置から投影対象に投影表示するとともに、当該番組情報一覧画面上でカーソルによって選択された番組情報についての詳細情報を、リモートコントロール装置に設けられた詳細情報表示手段に表示するようにしたことにより、テレビジョン放送受信装置によるテレビジョン映像の表示を妨げることなく、当該テレビジョン映像、番組情報一覧画面及び詳細情報を同時に表示するリモートコントロール装置が開示されている。
【０００５】
このように、EPG画面を用いて、番組録画予約や番組表示選局等の、AV機器の制御を行うことができるようにすることにより、ユーザは、番組表を確認しながら、制御操作を行うことができるので、AV機器の利便性（操作性）が向上する。
【０００６】
【特許文献１】特開２００４−３６３９３０号公報
【発明の開示】
【発明が解決しようとする課題】
【０００７】
しかしながら、従来においては、以上のような電子番組表に基づいてAV機器を制御する場合、番組録画予約が主な操作目的とされ、選局操作は副次的とされていた。つまり、このEPG画面において、操作手順の短いものが録画予約に割り当てられ、選局操作には、手順が長いものが割り当てられており、選局操作を容易に行うことができなかった。
【０００８】
具体的に説明すると、例えば、モニタ上でEPG画面の番組表を確認して視聴したいチャンネルを決定しても、ユーザは、実際にチャンネルを切り換えるために、リモートコントローラを操作し、EPG画面にオプションメニュー一覧を表示させてそのメニュー項目の中から選局メニューを選択したり、ユーザ操作や規定時間後に自動的に表示されるポップアップメニューのメニュー項目を選択したりする等、複数の手順を行わなければならない。つまり、例えば、通常のテレビジョン受像機等において選局を行う場合、ユーザは、リモートコントローラ等の選局ボタンを操作するだけで、容易にチャンネルを切り換えることができるが、これに対して、上述したように電子番組表から選局操作を行う場合、ユーザは、簡単にチャンネルを切り換えることができなかった。
【０００９】
また、電子番組表に基づいてAV機器を制御する場合、番組の録画予約や視聴予約を指示するための操作も必ずしも容易ではなかった。
【００１０】
本発明は、このような状況に鑑みてなされたものであり、番組表に基づいたAV機器の選局操作、録画予約を指示するための操作、または視聴予約を指示するための操作を直感的かつ容易に行うことができるようにするものである。
【課題を解決するための手段】
【００１１】
本発明の第１の側面は、放送波を受信する放送波受信装置による選局を制御する情報処理装置であって、前記放送波による放送の番組表を表示する番組表表示手段と、前記番組表表示手段により表示された前記番組表に対して入力される、前記放送波受信装置に所望の放送局を選局させるための動作である選局動作を受け付ける選局動作受付手段と、前記選局動作受付手段により受け付けられた前記選局動作に基づいて、前記放送波受信装置に対して選局を指示する選局指示手段とを備える。
【００１２】
前記選局動作受付手段は、原位置からの角度方向と移動した距離とに応じたアナログ値を出力するアナログコントローラであるようにすることができる。
【００１３】
前記選局動作は、前記アナログコントローラの操作部の可動範囲内の所定の領域内において、ユーザが前記操作部を、前記番組表表示手段に表示されている所望の放送局の番組表を前記放送波受信装置に対して投げるように動かすことであるようにすることができる。
【００１４】
前記選局動作受付手段は、前記番組表表示手段により表示されたオプション画面に基づいて行う前記選局の実行指示とは異なる方法で行われる前記選局動作を受け付けるようにすることができる。
【００１５】
前記放送の各番組に関する情報を含む番組情報を取得する番組情報取得手段と、前記番組情報取得手段により取得された前記番組情報に基づいて前記番組表を作成する番組表作成手段とをさらに備え、前記番組表表示手段は、前記番組表作成手段により作成された前記番組表を表示するようにすることができる。
【００１６】
前記番組表表示手段は、前記選局動作受付手段により前記選局動作が受け付けられると、選局の様子をイメージした動画である選局動画を表示するようにすることができる。
【００１７】
前記選局動画は、前記選局動作により指定された放送局の番組表が、前記放送波受信装置に向かって投げられて飛んでいくようなイメージを与える動画であるようにすることができる。
【００１８】
前記選局指示手段は、所定のプロトコルを用いて前記放送波受信装置と通信を行い、前記通信により前記選局の指示を前記放送波受信装置に供給するようにすることができる。
【００１９】
無線通信を行う無線通信インタフェースを有し、前記選局指示手段は、前記無線通信インタフェースを介して前記放送波受信装置と通信を行い、前記通信により前記選局の指示を前記放送波受信装置に供給するようにすることができる。
【００２０】
本発明の第１の側面は、放送波を受信する放送波受信装置による選局を制御する情報処理装置の情報処理方法であって、前記放送波による放送の番組表を表示部に表示させ、前記表示部に表示された前記番組表に対して入力される、前記放送波受信装置に所望の放送局を選局させるための動作である選局動作を受け付け、受け付けられた前記選局動作に基づいて、前記放送波受信装置に対して選局を指示するステップを含む。
【００２１】
本発明の第１の側面は、放送波を受信する放送波受信装置による選局を制御する処理をコンピュータに行わせるプログラムであって、前記放送波による放送の番組表を表示部に表示させ、前記表示部に表示された前記番組表に対して入力される、前記放送波受信装置に所望の放送局を選局させるための動作である選局動作を受け付け、受け付けられた前記選局動作に基づいて、前記放送波受信装置に対して選局を指示するステップを含む。
【００２２】
本発明の第１の側面においては、放送波による放送の番組表が表示され、表示された番組表に対して入力される、放送波受信装置に所望の放送局を選局させるための動作である選局動作が受け付けられ、受け付けられた選局動作に基づいて、放送波受信装置に対して選局が指示される。
【００２３】
本発明の第２の側面は、放送波を受信する放送波受信装置による選局、番組の録画予約、または視聴予約を制御する情報処理装置であって、前記放送波による放送の番組表を表示する番組表表示手段と、前記番組表表示手段により表示された前記番組表に対して入力される、前記放送波受信装置に所望の放送局を選局させるか、番組の録画予約をさせるか、または番組の視聴予約をさせるための動作による指示を受け付け、前記動作により原位置からの角度方向と移動した距離とに応じたアナログ値を出力する受付手段と、前記受付手段により受け付けられた前記動作による指示に基づいて、前記放送波受信装置に対して選局、録画予約、または視聴予約を指示する指示手段とを備える。
【００２４】
前記指示手段には、前記受付手段により受け付けられた前記動作による指示に基づいて、前記放送波受信装置に対して選局を指示する選局指示手段と、前記受付手段により受け付けられた前記動作による指示に基づいて、前記放送波受信装置に対して番組の録画予約または視聴予約を指示する予約指示手段とを設けることができる。
【００２５】
前記受付手段により前記動作による指示が受け付けられた場合、前記番組表上において指定されている番組の放送開始時刻が、現在時刻よりも後の時刻であるか否かを判定する判定手段をさらに設け、前記選局指示手段には、前記放送開始時刻が前記現在時刻よりも後の時刻でない場合、前記番組表上において指定されている番組を放送する放送局が選局されるように、選局を指示させ、前記予約指示手段には、前記放送開始時刻が前記現在時刻よりも後の時刻である場合、前記番組表上において指定されている番組の録画予約または視聴予約を指示させることができる。
【００２６】
前記受付手段はアナログコントローラとすることができる。
【００２７】
前記動作は、前記アナログコントローラの操作部の可動範囲内の所定の領域内において、ユーザが前記操作部を、前記放送波受信装置に対してスライドさせるように動かすこととすることができる。
【００２８】
前記番組表表示手段には、前記受付手段により録画予約または視聴予約をさせるための動作による指示が受け付けられると、録画予約または視聴予約の様子を象徴する動画である録画予約動画または視聴予約動画を表示させることができる。
【００２９】
前記録画予約動画または前記視聴予約動画は、前記動作により指定された前記番組表上の番組枠が、前記放送波受信装置に向かって投げられて飛んでいく様子を模した動画とすることができる。
【００３０】
本発明の第２の側面の情報処理方法またはプログラムは、放送波を受信する放送波受信装置による選局、番組の録画予約、または視聴予約を制御する情報処理装置の情報処理方法、または前記放送波受信装置による選局、番組の録画予約、または視聴予約を制御する処理をコンピュータに行わせるプログラムであって、前記放送波による放送の番組表を表示部に表示させ、前記表示部に表示された前記番組表に対して入力される、前記放送波受信装置に所望の放送局を選局させるか、番組の録画予約をさせるか、または番組の視聴予約をさせるための動作により、原位置からの角度方向と移動した距離とに応じたアナログ値を出力する受付手段が、前記動作による指示を受け付け、受け付けられた前記動作による指示に基づいて、前記放送波受信装置に対して選局、録画予約、または視聴予約を指示するステップを含む。
【００３１】
本発明の第２の側面においては、放送波による放送の番組表が表示され、表示された前記番組表に対して入力される、放送波受信装置に所望の放送局を選局させるか、番組の録画予約をさせるか、または番組の視聴予約をさせるための動作による指示が受け付けられ、受け付けられた前記動作による指示に基づいて、前記放送波受信装置に対して選局、録画予約、または視聴予約が指示される。
【発明の効果】
【００３２】
本発明の第１の側面によれば、情報を処理することができる。特に、番組表に基づいたAV機器の選局操作を直感的かつ容易に行うことができることができる。
【００３３】
また、本発明の第２の側面によれば、情報を処理することができる。特に、本発明の第２の側面によれば、番組表に基づいたAV機器の選局操作、録画予約を指示するための操作、または視聴予約を指示するための操作を直感的かつ容易に行うことができる。
【発明を実施するための最良の形態】
【００３４】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００３５】
本発明の第１の側面は、放送波（例えば、図１の放送波）を受信する放送波受信装置（例えば、図１の放送波受信装置２３Ａまたは放送波受信装置２５Ａ）による選局を制御する情報処理装置（例えば、図１の表示制御端末１１）であって、前記放送波による放送の番組表を表示する番組表表示手段（例えば、図２のLCD６１）と、前記番組表表示手段により表示された前記番組表に対して入力される、前記放送波受信装置に所望の放送局を選局させるための動作である選局動作を受け付ける選局動作受付手段（例えば、図２のアナログコントローラ７１）と、前記選局動作受付手段により受け付けられた前記選局動作に基づいて、前記放送波受信装置に対して選局を指示する選局指示手段（例えば、図７の選局指示部１６６）とを備える。
【００３６】
前記選局動作受付手段は、原位置からの角度方向と移動した距離とに応じたアナログ値を出力するアナログコントローラ（例えば、図３および図４のアナログコントローラ７１）であるようにすることができる。
【００３７】
前記選局動作は、前記アナログコントローラの操作部の可動範囲内の所定の領域内において、ユーザが前記操作部を、前記番組表表示手段に表示されている所望の放送局の番組表を前記放送波受信装置に対して投げるように動かすこと（例えば、図１３を参照して説明するスロウ動作）であるようにすることができる。
【００３８】
前記選局動作受付手段は、前記番組表表示手段により表示されたオプション画面（例えば、図１１のオプション画面２１１）に基づいて行う前記選局の実行指示とは異なる方法で行われる前記選局動作を受け付けるようにすることができる。
【００３９】
前記放送の各番組に関する情報を含む番組情報を取得する番組情報取得手段（例えば、図７の番組情報取得部１５６）と、前記番組情報取得手段により取得された前記番組情報に基づいて前記番組表を作成する番組表作成手段（例えば、図７の番組表作成部１６２）とをさらに備え、前記番組表表示手段は、前記番組表作成手段により作成された前記番組表を表示するようにすることができる。
【００４０】
前記番組表表示手段は、前記選局動作受付手段により前記選局動作が受け付けられると、選局の様子をイメージした動画である選局動画（例えば、図１４の動画）を表示するようにすることができる。
【００４１】
前記選局動画は、前記選局動作により指定された放送局の番組表が、前記放送波受信装置に向かって投げられて飛んでいくようなイメージを与える動画（例えば、図１４の動画）であるようにすることができる。
【００４２】
前記選局指示手段は、所定のプロトコルを用いて前記放送波受信装置と通信を行い、前記通信により前記選局の指示を前記放送波受信装置に供給する（例えば、図７の通信制御部１５１）ようにすることができる。
【００４３】
無線通信を行う無線通信インタフェース（例えば、図６のネットワークI/F１０５）を有し、前記選局指示手段は、前記無線通信インタフェースを介して前記放送波受信装置と通信を行い、前記通信により前記選局の指示を前記放送波受信装置に供給するようにすることができる。
【００４４】
本発明の第１の側面は、放送波（例えば、図１の放送波）を受信する放送波受信装置（例えば、図１の放送波受信装置２３Ａまたは放送波受信装置２５Ａ）による選局を制御する情報処理装置（例えば、図１の表示制御端末１１）の情報処理方法またはプログラムであって、前記放送波による放送の番組表を表示部に表示させ（例えば、図８のステップＳ４）、前記表示部に表示された前記番組表に対して入力される、前記放送波受信装置に所望の放送局を選局させるための動作である選局動作を受け付け（例えば、図９のステップＳ１３）、受け付けられた前記選局動作に基づいて、前記放送波受信装置に対して選局を指示する（例えば、図９のステップＳ１６）ステップを含む。
【００４５】
本発明の第２の側面は、放送波を受信する放送波受信装置（例えば、図１の録画装置２３または録画装置２５）による選局、番組の録画予約、または視聴予約を制御する情報処理装置（例えば、図２０の表示制御端末１１）であって、前記放送波による放送の番組表を表示する番組表表示手段（例えば、図２のLCD６１）と、前記番組表表示手段により表示された前記番組表に対して入力される、前記放送波受信装置に所望の放送局を選局させるか、番組の録画予約をさせるか、または番組の視聴予約をさせるための動作による指示を受け付け、前記動作により原位置からの角度方向と移動した距離とに応じたアナログ値を出力する受付手段（例えば、図２のアナログコントローラ７１）と、前記受付手段により受け付けられた前記動作による指示に基づいて、前記放送波受信装置に対して選局、録画予約、または視聴予約を指示する指示手段（例えば、図２０の選局指示部１６６または録画視聴予約設定指示部３４９）とを備える。
【００４６】
前記指示手段には、前記受付手段により受け付けられた前記動作による指示に基づいて、前記放送波受信装置に対して選局を指示する選局指示手段（例えば、図２０の選局指示部１６６）と、前記受付手段により受け付けられた前記動作による指示に基づいて、前記放送波受信装置に対して番組の録画予約または視聴予約を指示する予約指示手段（例えば、図２０の録画視聴予約設定指示部３４９）とを設けることができる。
【００４７】
前記受付手段により前記動作による指示が受け付けられた場合、前記番組表上において指定されている番組の放送開始時刻が、現在時刻よりも後の時刻であるか否かを判定する判定手段（例えば、図２０の時刻判定部３４８）をさらに備え、前記選局指示手段には、前記放送開始時刻が前記現在時刻よりも後の時刻でない場合、前記番組表上において指定されている番組を放送する放送局が選局されるように、選局を指示させ（例えば、図２７のステップＳ１９２の処理）、前記予約指示手段には、前記放送開始時刻が前記現在時刻よりも後の時刻である場合、前記番組表上において指定されている番組の録画予約または視聴予約を指示させる（例えば、図２７のステップＳ１８８の処理）ことができる。
【００４８】
前記動作は、前記アナログコントローラの操作部の可動範囲内の所定の領域内において、ユーザが前記操作部を、前記放送波受信装置に対してスライドさせるように動かすこと（例えば、図１３を参照して説明するスロウ動作）とすることができる。
【００４９】
前記番組表表示手段には、前記受付手段により録画予約または視聴予約をさせるための動作による指示が受け付けられると、録画予約または視聴予約の様子を象徴する動画である録画予約動画または視聴予約動画を表示させる（例えば、図２６を参照して説明する動画）ことができる。
【００５０】
本発明の第２の側面の情報処理方法またはプログラムは、放送波を受信する放送波受信装置による選局、番組の録画予約、または視聴予約を制御する情報処理装置の情報処理方法、または前記放送波受信装置による選局、番組の録画予約、または視聴予約を制御する処理をコンピュータに行わせるプログラムであって、前記放送波による放送の番組表を表示部に表示させ（例えば、図２７のステップＳ１８１）、前記表示部に表示された前記番組表に対して入力される、前記放送波受信装置に所望の放送局を選局させるか、番組の録画予約をさせるか、または番組の視聴予約をさせるための動作により、原位置からの角度方向と移動した距離とに応じたアナログ値を出力する受付手段が、前記動作による指示を受け付け（例えば、図２７のステップＳ１８４）、受け付けられた前記動作による指示に基づいて、前記放送波受信装置に対して選局、録画予約、または視聴予約を指示する（例えば、図２７のステップＳ１９２またはステップＳ１８８）ステップを含む。
【００５１】
次に、本発明を適用した実施の形態について、図面を参照して説明する。
【００５２】
図１は、本発明を適用した表示制御端末を含むネットワークの構成例を示すブロック図である。
【００５３】
図１において、家庭内LAN（Local Area Network）１は、一般家庭に敷設されるネットワークである。表示制御端末１１は、この家庭内LAN１の各種のAV機器の動作を制御する制御装置である。有線LAN２０は、例えば、Ethernet（登録商標）に代表されるLANであり、所定の有線ケーブルにより構成される。この有線LAN２０には、ルータ２１、アクセスポイント２２、録画装置２３、および録画装置２５が接続されており、これらの装置間で授受される情報が、Ethernet（登録商標）フレーム等の所定のパケットとして伝送される。ルータ２１、アクセスポイント２２、録画装置２３、および録画装置２５の各装置は、例えば、TCP/IP（Transmission Control Protocol/Internet Protocol）やUDP/IP（User Datagram Protocol/Internet Protocol）等の所定のプロトコルを利用して、この有線LAN２０を介した通信を行う。
【００５４】
ルータ２１は、ネットワーク上を流れるデータを他のネットワークに中継する機器であり、OSI（Open Systems Interconnection）参照モデルでいうネットワーク層やトランスポート層の一部のプロトコルを解析して転送を行う。ルータ２１は、有線LAN２０の他に、例えばインターネットに代表される、家庭内LAN１の外部のネットワーク３１にも接続されており、このネットワーク３１と有線LAN２０との間でデータを中継する。
【００５５】
アクセスポイント２２は、インフラストラクチャモードにより端末間を接続し、無線LANを構築する電波中継機である。また、アクセスポイント２２は、ブリッジ機能を有しており、アクセスポイント２２が構築した無線LANと、有線LAN２０との間でデータを中継する。
【００５６】
録画装置２３は、テレビジョン番組を録画するビデオレコーダであり、内蔵する放送波受信装置２３Ａにより、テレビジョン放送信号である放送波を受信し、映像信号を抽出して記録することにより、放送されたテレビジョン番組を録画する。また、録画装置２３には、映像表示音声再生装置２４が接続されている。映像表示音声再生装置２４は、放送波受信装置２３Ａが受信した番組の映像信号や音声信号を録画装置２３より取得し、その映像を表示したり、音声を出力したりする。
【００５７】
録画装置２５は、録画装置２３と同様の装置であり、内蔵する放送波受信装置２５Ａにより放送波を受信し、映像信号を抽出して記録することにより、放送されたテレビジョン番組を録画したり、映像表示音声再生装置２６に映像信号や音声信号を供給し、その番組の映像を表示させたり、音声を出力させたりする。
【００５８】
表示制御端末１１は、無線通信機能を有しており、アクセスポイント２２と通信を行い、アクセスポイント２２の無線LAN端末として動作する。表示制御端末１１は、アクセスポイント２２、有線LAN２０、ルータ２１、およびネットワーク３１を介して、番組情報サーバ４１より、番組名や放送時間、ジャンル等の番組情報を記述したEPG（Electronic Program Guide：電子番組表）データを取得し、ユーザの指示などに基づいて、そのEPGデータを用いて電子番組表画面（以下、EPG画面と呼ぶ）を作成し、それを表示する。このEPG画面は、GUI（Graphical User Interface）画面により構成されており、ユーザは、その電子番組表（放送予定表）を閲覧して番組内容を把握するだけでなく、このEPG画面に対して（EPG画面を参照しながら）、例えば、番組録画予約や番組表示選局等の指示を入力することができる。表示制御端末１１は、このEPG画面に基づいて入力された指示に従って、アクセスポイント２２および有線LAN２０を介して録画装置２３または録画装置２５を制御し、録画や選局等の動作を行わせる。
【００５９】
このとき、表示制御端末１１は、EPG画面を表示するので、映像表示音声再生装置２４または映像表示音声再生装置２６の、番組の映像表示を妨げずに、録画装置２３または録画装置２５を制御することができる。また、後述するように、表示制御端末１１は、EPG画面が表示されている状態から、ユーザが表示制御端末１１のアナログコントローラを用いて簡単な操作を行うだけで、容易に、録画装置２３または録画装置２５（放送波受信装置２３Ａまたは放送波受信装置２５Ａ）に対して、選局指示を行うことができる。さらに、後述するように、その選局指示に対応するユーザのアナログコントローラの操作方法が、選局指示を録画装置２３または録画装置２５（放送波受信装置２３Ａまたは放送波受信装置２５Ａ）に対して行っていることを示すような操作であるので、表示制御端末１１は、制御対象となる録画装置をユーザに直感的に把握させることができる。これにより、ユーザは、違和感の無い操作方法で、容易に、録画装置の選局制御を行うことができる。
【００６０】
なお、図１において、有線LAN２０のネットワークは、その一部または全部が無線LANにより構成されるようにしてもよい。また、表示制御端末１１が有線により有線LAN２０に接続されるようにしてもよい。ただし、図１に示されるように無線LANの端末とすることにより、表示制御端末１１の設置場所が固定されないので、ユーザは、家庭内（通信可能範囲内）任意の位置より、録画装置２３や録画装置２５を制御することができるようになる。つまり、表示制御端末１１の利便性が向上する。なお、録画装置２３や録画装置２５に無線通信機能を持たせ、アドホックモードにより表示制御端末１１と接続することができるようにしてもよい。この場合、アクセスポイント２２が不要になる。
【００６１】
また、表示制御端末１１が有線LAN２０に接続される録画装置２３や録画装置２５を制御するように説明したが、表示制御端末１１は、アクセスポイント２２が構築する無線LANの端末として構成されるAV機器（例えば録画装置）も制御することができるようにしてもよい。
【００６２】
また、図１において、有線LAN２０に接続される各装置（ルータ２１、アクセスポイント２２、録画装置２３、および録画装置２５）の数は、いくつであってもよく、複数のルータや複数のアクセスポイントが有線LAN２０に接続されるようにしてもよいし、有線LAN２０に接続される録画装置の数も１台であってもよいし、２台以上であってもよい。また、１台の録画装置が複数の放送波受信装置を内蔵するようにしてもよいし、１台の録画装置に対して、映像表示音声再生装置が複数接続されるようにしてもよい。また、各録画装置間（例えば、録画装置２３と録画装置２５）で、内蔵する放送波受信装置の数が互いに異なるようにしてもよいし、接続される映像表示音声再生装置の数が互いに異なるようにしてもよい。
【００６３】
図２は、本発明を適用した表示制御端末１１の外観を示す外観図である。
【００６４】
図２において、表示制御端末１１の筐体５０の１つの外面である操作面５１には、例えば、各種画像を表示するLCD（Liquid Crystal Display）６１、ユーザが操作することにより、それぞれ上下左右のいずれかを示す情報が入力される４つのボタンからなる十字ボタン６２、ユーザが操作することにより、例えば、LCD６１にオプション画面を表示させるオプションボタン６３、ユーザが操作することにより、各種処理の実行指示が入力される実行ボタン６４、ユーザが操作することにより、各種処理の実行中止指示が入力される中止ボタン６５、および、アナログ値を入力するための入力デバイスであるアナログコントローラ７１が設けられている。
【００６５】
例えば、LCD６１にGUI画面が表示されている場合に、ユーザによって十字ボタン６２の１つが押圧されると、LCD６１に表示されるGUI画面上のフォーカスがその押圧されたボタンに対応する方向に移動する。
【００６６】
例えば、LCD６１にGUI画面が表示されている場合に、ユーザによってオプションボタン６３が押圧されると、LCD６１には、EPG画面に重畳されて、オプションメニュー画面が表示される。また、例えば、LCD６１にGUI画面が表示されている場合に、ユーザによって実行ボタン６４が押圧されると、録画予約を行う番組を決定したり、各種選択を決定したり、処理の実行を指示したりする。さらに、例えば、LCD６１にGUI画面が表示されている場合に、ユーザによって中止ボタン６５が押圧されると、各種処理の実行が中止される。
【００６７】
アナログコントローラ７１は、選局指示を入力するのに割り当ててられた入力デバイスである。アナログコントローラ７１は、操作されていない場合に戻るように付勢されている原位置から、使用者によって３６０度のうち任意の角度方向に移動させられると、その角度方向と移動した距離とに応じたアナログ値を出力する。ユーザは、このアナログコントローラを操作して選局指示を入力する。
【００６８】
なお、LCD６１は、例えば、有機ディスプレイ等、LCD以外のディスプレイにより構成されるようにしてもよい。また、LCD６１、十字ボタン６２、オプションボタン６３、実行ボタン６４、中止ボタン６５、アナログコントローラ７１の数は、それぞれ、任意である。
【００６９】
図３は、アナログコントローラ７１の外観を示す上面図であり、図４は、アナログコントローラ７１の側面図である。アナログコントローラ７１は、ベース部８１および操作部８２から構成される。ベース部８１は、表示制御端末１１の筐体５０の内部に格納され、操作部８２は、表示制御端末１１の筐体５０の外側に出るように設けられる。操作部８２は、円盤状（円柱状）に形成され、ユーザの指でつままれたり（例えば親指と人差し指で把持されたり）、その指の腹が乗せられて、ベース部８１上を水平方向（例えば、図４に示される両矢印の方向）に移動するように、ユーザに操作される。
【００７０】
操作部８２は、ユーザから操作されていない場合、すなわち、外部から力が加えられていない場合、ベース部８１の中央である原位置に戻るように付勢されている。図３および図４で示されているベース部８１に対する操作部８２の位置（ベース部８１の中央）は、原位置である。
【００７１】
操作部８２が、原位置から、ユーザによって３６０度のうち任意の角度方向に移動させられると、アナログコントローラ７１は、その角度方向と移動した距離（原位置からの距離）とに応じたアナログ値（例えば、操作部８２の可動範囲よりなる平面上の、原位置を基準とする座標値）を出力する。
【００７２】
例えば、操作部８２は、図５で示されるように、ユーザの操作によって、ベース部８１の、操作部８２が設けられた面上を、（ベース部８１の大きさの範囲で、）原位置から任意の方向に自在に移動させられる。
【００７３】
この、操作部８２が移動する平面を、原位置を原点とした、直交するＸ座標軸とＹ座標軸とで示される２次元のＸＹ座標で表すとすると、アナログコントローラ７１は、操作部８２が移動させられた位置を示すＸ座標の値とＹ座標の値からなるアナログ値を出力する。このアナログ値の出力タイミングは任意であり、例えば所定の時間間隔毎に出力されるようにしてもよいし、必要に応じて不定期に出力されるようにしてもよい。
【００７４】
図６は、表示制御端末１１の内部の構成例を示すブロック図である。
【００７５】
図６において、CPU（Central Processing Unit）１０１は、ROM（Read Only Memory）１０２、またはドライブ１０７に装着されたリムーバブルメディア１２１より読み出され、RAM（Random Access Memory）１０３にロードされたプログラムに従って各種の処理を実行する。RAM１０３には、CPU１０１が実行するプログラムやデータなどが適宜記憶される。これらのCPU１０１、ROM１０２、およびRAM１０３は、バス１００により相互に接続されている。
【００７６】
このバス１００には、その他に、データ保存部１０４、ネットワークインタフェース（以下、ネットワークI/F（InterFace）と称する）１０５、LCD６１、GDP（Graphical Display Processor）１０６、およびドライブ１０７が接続されている。
【００７７】
データ保存部１０４は、例えば、ハードディスクや半導体メモリ等により構成され、CPU１０１の制御により、番組情報サーバ４１より取得されたEPGデータを保存する。ネットワークI/F１０５は、無線通信機能を有し、CPU１０１に制御され、アクセスポイント２２が構築する無線LANの端末インタフェースとして動作し、アクセスポイント２２を介して、番組情報サーバ４１、録画装置２３、または録画装置２５等の外部の機器と通信を行い、データやコマンド等の授受を行う。例えば、ネットワークI/F１０５は、番組情報サーバ４１よりEPGデータを取得し、それをデータ保存部１０４に供給して保存させる。また、ネットワークI/F１０５は、例えば、CPU１０１より供給される録画装置２３や録画装置２５の制御コマンドを録画装置２３や録画装置２５に供給し、録画予約や選局等を行わせる。
【００７８】
GDP１０６は、CPU１０１に制御され、LCD６１に表示する画像についての画像処理を行う。例えば、GDP１０６は、CPU１０１より供給されるEPGデータ等の情報から、EPG画面を生成し、それをLCD６１に表示させる。
【００７９】
ドライブ１０７は、ドライブ１０７に装着された、例えば、磁気ディスク、光ディスク、光磁気ディスク、或いは半導体メモリなどのリムーバブルメディア１２１に記録されているプログラムやデータなどを取得し、それを必要に応じてCPU１０１やRAM１０３に供給する。
【００８０】
また、CPU１０１には、専用のバスを介して入力部１１１が接続されている。入力部１１１は、上述した十字ボタン６２、オプションボタン６３、実行ボタン６４、中止ボタン６５、およびアナログコントローラ７１を含む各種ユーザインタフェースにより構成されており、ユーザからの指示をCPU１０１に通知する。CPU１０１は、この入力部１１１を介して入力されるユーザ指示に基づいて、例えば、GUI画面の表示制御を行ったり、ネットワークI/F１０５を介して、録画装置を制御したり、番組情報サーバ４１よりEPGデータを取得したりする等、各種の処理を行う。
【００８１】
なお、この入力部１１１は、バス１００に接続されるようにしてもよい。
【００８２】
図７は、表示制御端末１１のCPU１０１がプログラムを実行して実現する機能ブロックの構成例を示す機能ブロック図である。なお、図７においては、録画装置２３を表示制御端末１１の制御対象として説明する。
【００８３】
表示制御端末１１が（アクセスポイント２２を介して）有線LAN２０に接続されている場合において、その有線LAN２０に新たな、表示制御端末１１が制御可能なAV機器が接続されるとき、そのAV機器は、自分自身の機器情報（例えば、IPアドレスやMACアドレス等のように、ネットワーク上においてそのAV機器を特定可能なユニークな情報）を、有線LAN２０を介して表示制御端末１１に提供する。例えば、有線LAN２０に録画装置２３が新たに接続されるとき、録画装置２３の機器情報提供部１８１は、録画装置２３の通信制御部１８２を制御し、録画装置２３の機器情報を表示制御端末１１に供給させる。
【００８４】
なお、例えば、図１において録画装置２３と録画装置２５が予め有線LAN２０に接続されており、その有線LAN２０に表示制御端末１１が（アクセスポイント２２を介して）接続されるときは、表示制御端末１１は、有線LAN２０に接続されている各録画装置に対して機器情報の提供を要求する。各録画装置の機器情報提供部は、この要求に応じて通信制御部を制御し、自分自身の機器情報を表示制御端末１１に供給させる。
【００８５】
表示制御端末１１の機器情報取得部１５２は、通信制御部１５１を制御し、ネットワークI/F１０５を制御し、以上のように供給される機器情報を取得する処理を実行させる。その通信制御部１５１を介して機器情報を取得すると機器情報取得部１５２は、取得した機器情報を機器情報保存部１５３に供給し、その機器情報をデータ保存部１０４等に保存させる。例えば、図１に示されるように録画装置２３と録画装置２５が有線LAN２０に接続されている場合、表示制御端末１１の機器情報保存部１５３は、合計２個の機器情報をデータ保存部１０４等に保存させる。
【００８６】
選局装置指定部１５４は、ユーザの指示や実行中のプログラムの指示に基づいて、通信制御部１５１を制御し、制御対象とする選局装置の指定を行う。例えば、選局装置指定部１５４は、機器情報保存部１５３を制御してデータ保存部１０４等よりユーザやプログラムに指定されたAV機器の機器情報を読み出し、その機器情報を通信制御部１５１に供給し、その機器情報に対応するAV機器（図７の例の場合、録画装置２３）を制御対象の選局装置として設定する。
【００８７】
番組情報要求部１５５は、表示制御端末１１の起動処理中等に発生するイベントやユーザ指示等に基づいて不定期に、または、通常動作中においてプログラムで規定された間隔毎に定期的に、通信制御部１５１を制御し、ネットワークI/F１０５に、例えば番組情報サーバ４１等の番組情報提供手段１７１に対して番組情報（EPGデータ）を要求させる。その要求に応じて番組情報提供手段１７１より番組情報が供給されると、番組情報取得部１５６は、通信制御部１５１を制御し、ネットワークI/F１０５に、その番組情報を取得させる。番組情報を取得すると番組情報取得部１５６は、その番組情報を番組情報記憶部１５７に供給する。番組情報記憶部１５７は、その番組情報をデータ保存部１０４に保存させる。
【００８８】
なお、この番組情報を保存するデータ保存部１０４は、例えばメモリカードやCD-R（Compact Disc - Recordable）のように、書き込み可能であり、かつ、表示制御端末１１より着脱可能な記録媒体により構成されるようにしてもよい。この場合、番組情報が保存されたメモリカードは、表示制御端末１１以外の装置にも接続可能である。つまり、この場合、ユーザは、表示制御端末１１以外の装置において、表示制御端末１１が取得した番組情報を表示したり、録画・予約設定をしたりすることが考えられる。
【００８９】
ユーザがLCD６１に表示される画面を見ながら入力部１１１を操作して番組表の表示を要求すると、入力受付部１６１は、その要求を番組表作成部１６２および制御用表示情報作成部１６３に供給する。番組表作成部１６２は、番組情報記憶部１５７を制御し、データ保存部１０４等より番組情報を読み出し、それを合成処理部１６４に供給する。また、制御用表示情報作成部１６３は、例えばGUIボタン等の制御用表示情報（GUI画面の、画像表示部分以外のGUI部分）を作成し、その制御用表示情報を合成処理部１６４に供給する。
【００９０】
合成処理部１６４は、番組表作成部１６２より供給された番組情報（EPGデータ）と制御用表示情報作成部１６３より供給された制御用表示情報とを合成し、番組表表示画面（EPG画面）を生成し、それを表示制御部１６５に供給する。表示制御部１６５は、GDP１０６やLCD６１を制御し、EPG画面をLCD６１に表示させる。
【００９１】
ユーザは、LCD６１に表示されたEPG画面を参照し、そのEPG画面に対する所定の操作を、入力部１１１を介して行い、録画予約や選局指示等を入力する。選局指示部１６６は、入力受付部１６１により受け付けられた所定の選局指示に基づいて、通信制御部１５１を介してネットワークI/F１０５を制御し、制御対象である録画装置２３に対して選局を指示する。
【００９２】
録画装置２３の通信制御部１８２は、その選局指示を取得すると、それを選局部１８３に供給する。選局部１８３は、表示制御端末１１からの選局指示に基づいて選局し、その局の番組の映像や音声を出力部１８４に供給し、映像表示音声再生装置２４に供給させる。映像表示音声再生装置２４の入力部１９１は、録画装置２３より供給された映像や音声を表示再生部１９２に供給する。表示再生部１９２は、供給された映像や音声をモニタやスピーカより表示または出力する。
【００９３】
このような、番組表表示処理の具体的な流れの例について図８および図９のフローチャートを参照して説明する。
【００９４】
ユーザやプログラムの指示等に基づいて、番組表表示処理が開始されると、ステップＳ１において、番組表作成部１６２は、LCD６１の表示部分の番組表を作成し、ステップＳ２において、制御用表示情報作成部１６３は、制御用表示情報を作成する。合成処理部１６４は、ステップＳ３において、番組表と制御用表示情報を合成し、番組表表示画面（EPG画面）を作成する。ステップＳ４において、表示制御部１６５は、番組表表示画面をLCD６１に表示させる。
【００９５】
図１０は、番組表表示画面の表示例を示す図である。
【００９６】
図１０においてLCD６１に表示された番組表表示画面２０１においては、画面右上に「○月△日（水）０：３５PM」という現在の日時が表示され、その下側には、テレビジョン放送の番組表が表示されている。この番組表は、時間軸を画面縦方向とし、チャンネル軸を画面横方向として構成されている。太枠で示されるフォーカス２０２は、例えば赤色等で強調表示されており、番組表の中からユーザが指定する番組（指定番組）を示すものであり、例えば番組表において番組の外枠を強調表示することにより、指定番組を示している。このフォーカス２０２は、制御用表示情報作成部１６３により作成され、表示制御部１６５により表示される。
【００９７】
このフォーカス２０２は、ユーザが十字ボタン６２の上下左右ボタンを操作することにより動かすことができる。つまり、例えば、図１０の状態（フォーカス２０２が午後１時５分から「チャンネルＢ」の放送局より放送される番組「情報Ｂ１」を指定している状態）から、ユーザが十字ボタン６２の上ボタン（↑）を操作すると、フォーカス２０２は、番組表において１つ上の番組に移動し、同じ「チャンネルＢ」の午後１時０分から放送される番組「ニュースＢ１」の外枠を強調表示する。同様に、図１０の状態から、ユーザが十字ボタン６２の右ボタン（→）を操作すると、フォーカス２０２は、番組表において１つ右の番組に移動し、「チャンネルＣ」の午後１２時０分より放送される「バラエティＣ０」の外枠を強調表示する。また、同様に、図１０の状態から、ユーザが十字ボタン６２の左ボタン（←）を操作すると、フォーカス２０２は、番組表において１つ左の番組に移動し、「チャンネルＡ」の午後１時５分より放送される「スポーツＡ１」の外枠を強調表示する。さらに、同様に、図１０の状態から、ユーザが十字ボタン６２の下ボタン（↓）を操作すると、フォーカス２０２は、番組表において１つ下の番組に移動し、同じ「チャンネルＢ」の午後１時２０分より放送される「福祉Ｂ１」の外枠を強調表示する。
【００９８】
このように、フォーカス２０２が現在表示されている番組表内の番組を指定する場合、フォーカス２０２は、番組表上を移動し、番組を指定する。つまり、フォーカス２０２の枠の大きさは、指定する番組によって変化する。
【００９９】
これに対して、例えば、図１０の状態から、ユーザにより下ボタン（↓）が何度も操作され、フォーカス２０２が午後２時３０分から「チャンネルＢ」の放送局より放送される番組「３０バラエティＢ２」を指定している状態に到達した時に、ユーザがさらに下ボタン（↓）を操作すると、フォーカス２０２は、「３０バラエティＢ２」の下の、現在表示されている番組表に含まれていない番組を指定することになる。この時、番組表作成部１６２は、フォーカス２０２が指定する番組を含む、午後３時以降の番組を表示させるために番組表を再作成する。例えば、番組表作成部１６２は、番組表表示画面２０１に１度に３時間分の番組表を表示させ、上述したように番組表を再作成する場合は、フォーカスの移動方向に１時間分毎にスライドさせるように、番組表を更新するようにする。つまり、例えば、上述した例の場合、更新後には、午後１時から午後３時までの時間帯の番組表が表示される。
【０１００】
なお、フォーカス２０２を上方向に移動させる場合も同様である。また、左右方向の場合は、１チャンネル分ずつスライドするように番組表が更新される。
【０１０１】
このような番組表表示画面２０１がLCD６１に表示されると、入力受付部１６１は、ステップＳ５において、入力部１１１を制御し、ユーザからの入力の受け付けを開始する。
【０１０２】
ステップＳ６において、入力受付部１６１は、十字ボタン６２が操作されたか否かを判定し、操作されたと判定した場合、処理をステップＳ７に進め、LCD６１に表示された番組表表示画面２０１において、番組を指定するフォーカス２０２が、現在表示されていない、表示領域外の番組に移動するか否かを判定し、表示領域外の番組に移動すると判定した場合、処理をステップＳ１に戻し、それ以降の処理を繰り返す。つまり、番組表表示画面２０１において、ユーザにより、フォーカス２０２が、現在番組表表示画面２０１に表示されていない部分の番組を指定するように移動させられる場合、番組表の画像を作り直すために、処理がステップＳ１に戻され、上述したように番組表表示画面の再作成が行われる。
【０１０３】
また、ステップＳ７において、フォーカス２０２が表示領域内の番組に移動すると判定した場合、入力受付部１６１は、番組表を再作成する必要が無いので、処理をステップＳ８に進める。ステップＳ８において、制御用表示情報作成部１６３は、番組表表示画面２０１内の番組表においてフォーカス２０２を移動させる。フォーカス２０２を移動させると、制御用表示情報作成部１６３は、処理を図９のステップＳ１７に進める。
【０１０４】
図８のステップＳ６において、十字ボタン６２が操作されていないと判定した場合、入力受付部１６１は、処理をステップＳ９に進め、オプションボタン６３が操作されたか否かを判定する。オプションボタン６３が操作されたと判定した場合、入力受付部１６１は、処理をステップＳ１０に進める。ステップＳ１０において、表示制御部１６５は、制御用表示情報作成部１６３により作成され、合成処理部１６４により番組表表示画面２０１に重畳された、ユーザが複数のメニューの中から実行させる処理を選択するためのオプション画面をLCD６１に表示させる。
【０１０５】
図１１は、オプション画面の表示例を示す図である。
【０１０６】
図１１において、LCD６１に表示されたオプション画面２１１は、番組表表示画面２０１に重畳されて表示される。オプション画面２１１には、「録画予約する」、「番組詳細を見る」、および「選局する」等のメニューが表示されており、オプション画面用のフォーカス２１２は、これらのメニューのいずれかを選択するように（メニューの１つを囲むように）表示されている。つまり、ユーザが例えば十字ボタン６２の上ボタンや下ボタンを操作すると、フォーカス２１２は、両矢印に示されるように上下に移動する。ユーザが例えば実行ボタン６４を押下すると、そのときフォーカス２１２により選択されているメニューが実行される。図１１の例の場合、「番組詳細を見る」というメニューを選択した状態となっており、ユーザが実行ボタン６４を押下すると、番組の詳細情報を示す画面が表示される。
【０１０７】
図８に戻り、ステップＳ１０において、入力受付部１６１は、このオプション画面２１１に対するユーザ入力に応じた処理を行うオプション画面制御処理を行う。ステップＳ１０の処理が終了すると入力受付部１６１は、処理を図９のステップＳ１７に進める。
【０１０８】
また、図８のステップＳ９において、オプションボタン６３が操作されていないと判定した場合、入力受付部１６１は、処理を図９のステップＳ１１に進め、実行ボタン６４が操作されたか否かを判定する。実行ボタン６４が操作されたと判定した場合、表示制御部１６５は、制御用表示情報作成部１６３により作成された録画予約画面をLCD６１に表示させる。
【０１０９】
図１２は、録画予約画面の表示例を示す図である。
【０１１０】
図１２に示される録画予約画面２２１は、番組の録画予約の設定を行うためのGUI画面であり、録画日、録画時刻、チャンネル、および録画モード等の録画予約設定に関する情報を指定するためのGUIや現在の設定状況等が表示されている。
【０１１１】
この録画予約画面２２１において、ユーザは、十字ボタン６２を操作して、フォーカス２２２を移動させ、録画予約画面２２１に表示された各種のGUIボタン等を操作し、録画予約を行ったり、録画予約を中止したりする。
【０１１２】
図９に戻り、ステップＳ１２において、入力受付部１６１は、この録画予約画面２２１に対するユーザ入力を受け付け、その入力に対応する処理を行う録画予約制御処理を行う。ステップＳ１２の処理を終了すると、入力受付部１６１は、処理をステップＳ１７に進める。
【０１１３】
また、ステップＳ１１において、実行ボタン６４が操作されていないと判定した場合、入力受付部１６１は、処理をステップＳ１３に進める。ステップＳ１３において、入力受付部１６１は、例えばアナログコントローラ７１を用いたスロウ動作等の、予め定められている所定の動作であり、制御対象の放送波受信装置（録画装置）に所望の放送局を選局させるための動作である選局操作を受け付けたか否かを判定する。
【０１１４】
ここで、スロウ動作について説明する。最初に、アナログコントローラ７１の操作部８２の可動領域を図１３に示されるように定義する。図１３は、スロウ領域の例を示す図である。
【０１１５】
図１３において、領域２３０は、操作部８２の可動領域であり、その中心座標２３１が操作部８２の原位置である。この領域２３０において、４つの点Ａ、Ａ'、Ｂ、Ｂ'で囲まれる、領域２３０の部分領域（図中、斜線で示される領域）をスロウ領域２３２とし、領域２３０のスロウ領域２３２以外の部分領域を不感帯２３３とする。
【０１１６】
このような領域２３０において、操作部８２が、ユーザに操作されて、原位置である中心座標２３１より図中上側に進み、線分Ａ−Ａ'を通過してスロウ領域２３２内に移動し、一定時間Ｔ１内に、線分Ａ−Ａ'と線分Ｂ−Ｂ'との距離を示すスロウ判定変位２３４の２／３以上の変位量を持ち、かつ一定時間Ｔ２（Ｔ１＜Ｔ２）内に線分Ｂ−Ｂ'に到達する動作をスロウ（投げる）動作と定義する。
【０１１７】
なお、図１３において不感帯２３３として定義されている範囲の操作部８２の動きは、スロウ動作の一部として検出されない。つまり、スロウ領域２３２内において、ユーザが操作部８２を、スロウ判定変位２３４の３分の２（所定の長さ）以上の距離を時間Ｔ１以内で移動させ、最終的に時間Ｔ２以内に可動範囲の外側の端まで移動させることをいう。例えば、ユーザが原位置にある操作部８２を所定の速さで、可動範囲の所定の方向（スロウ領域２３２の方向）の端まで（操作部８２が止まるまで）動かす動作をスロウ動作という。
【０１１８】
換言すると、例えばユーザが操作部８２を、短い距離（スロウ判定変位２３４の３分の２より短い距離）だけ、スロウ領域２３２内を移動させてもスロウ動作とは判定されない。また、例えばユーザが操作部８２を、ゆっくり（時間Ｔ１やＴ２以上の時間をかけて）スロウ領域２３２内を移動させてもスロウ動作とは判定されない。さらに、例えばユーザが操作部８２を、可動領域の端まで移動させなかった場合、スロウ動作とは判定されない。
【０１１９】
図１３の例の場合、スロウ領域２３２は、領域２３０の図中上側、つまり、図２において上側（十字ボタン６２の方向）に設定されている。
【０１２０】
図９に戻り、ステップＳ１３において、以上のようなスロウ動作が行われたと判定すると、入力受付部１６１は、処理をステップＳ１４に進める。ステップＳ１４において、表示制御部１６５は、制御用表示情報作成部１６３により作成された、選局の様子をイメージした動画である選局動画をLCD６１に表示させる。また、このとき、表示制御部１６５は、ステップＳ１５において、選局動画に応じた音声を表示制御端末１１の図示せぬスピーカより出力させる。
【０１２１】
図１４は、選局動画の様子の例を示す図である。
【０１２２】
図１４Ａに示されるように、ユーザがアナログコントローラ７１を操作し、操作部８２をスロウ領域２３２が設定されている図中上側にスライドさせると、LCD６１に表示される番組表表示画面２０１のフォーカス２０２は、図１４Ｂに示されるように、フォーカス２０２が指定していた番組の放送局全体を選択し、図１４Ｃに示されるように、その放送局の番組表が、他の局の番組表から切り出され、点線矢印２４１に示されるように傾斜した後、点線矢印２４２に示されるように、画面上方奥に向かって進んで行くようなアニメーション（選局動画）が表示される。そして、この、操作時にフォーカス２０２をあてていた番組枠が投げられて飛んでいくようなイメージを与える選局動画の表示に合わせて、図１４に示されるような選局動画に適したイメージ効果音が表示制御端末１１の図示せぬスピーカより出力される。
【０１２３】
つまり、通常、ユーザは、図１５に示されるように、表示制御端末１１を制御対象である録画装置２３に向けた状態にし、ユーザの指２５１を用いてアナログコントローラ７１の操作部８２を、スロウ領域２３２が設定されている上側に向かって、矢印２５２の方向に動かす（つまり、スロウ動作を行う）。このスロウ動作が検出されると、制御用表示情報作成部１６３は、図１４に示されるような選局動画を作成し、表示制御部１６５を制御しLCD６１に表示させる。すると、図１５に示されるように、LCD６１上において、選局された放送局の番組表は、あたかも制御対象である録画装置２３に向かって進むように表示される。
【０１２４】
図９に戻り、選局指示部１６６は、入力受付部１６１が受け付けた選局操作により選択された局を選択する選局指示を、通信制御部１５１を介して処理対象の録画装置２３に送信する。選局指示が送信されると、入力受付部１６１は、処理をステップＳ１７に進める。
【０１２５】
また、ステップＳ１３において、選局操作を受け付けなかったと判定した場合、入力受付部１６１は、処理をステップＳ１７に進める。
【０１２６】
ステップＳ１７において、入力受付部１６１は、番組表表示処理を終了するか否かを判定し、終了しないと判定した場合、処理を図８のステップＳ６に戻し、それ以降の処理を繰り返す。また、図９のステップＳ１７において、番組表表示処理を終了すると判定した場合、入力受付部１６１は、処理をステップＳ１８に進め、終了処理を行った後、番組表表示処理を終了する。
【０１２７】
表示制御端末１１の各部が以上のように各処理を行うことにより、ユーザは、LCD６１に番組表表示画面２０１が表示されている状態からでも、アナログコントローラ７１を操作するだけで、容易に選局指示を行うことができる。
【０１２８】
なお、図１１に示されるように、オプション画面２１１において、フォーカス２１２を「選局する」に位置させ、実行ボタン６４を押下することにより、ユーザは、放送波受信装置２３Ａが受信する番組の放送局を選択することができる。ただし、このようにオプション画面２１１を利用して選局を行う場合、ユーザは、番組表表示画面２０１が表示されている状態から、オプション画面２１１を表示させて、フォーカス２１２を「選局する」に位置させ、実行ボタン６４を押下する必要がある。つまり、ユーザは、視聴したい番組を番組表表示画面２０１で確認した後、選局を完了するまでに３動作必要であり、通常のリモートコントローラにおいてチャンネルボタンを押下して選局する場合よりも、選局作業が煩雑になってしまう。
【０１２９】
これに対して、上述したようにアナログコントローラ７１を利用して選局操作を行うようにすることにより、ユーザは、通常のリモートコントローラにおいてチャンネルボタンを押下して選局する場合と同様に、視聴したい番組を番組表表示画面２０１で確認した後、選局を完了するまでに１動作のみで、容易に選局指示を行うことができる。
【０１３０】
なお、表示制御端末１１は、LCD６１に番組表表示画面２０１を表示させるので、ユーザは、その表示された番組表から視聴したい番組を確認して選局指示を行うことができる。すなわち、表示制御端末１１は、従来の通常のリモートコントローラの場合よりも、選局操作の利便性を向上させることができる。
【０１３１】
また、このような選局操作により、ユーザが表示制御端末１１を向けた（番組表が進んで行った先の）、録画装置２３の放送波受信装置２３Ａが受信する番組の放送局が切り替わり、映像表示音声再生装置２４に表示される番組が切り替わるので、ユーザは、直感的に操作対象を把握し、違和感無く選局操作を行うことができる。
【０１３２】
なお、スロウ領域２３２の大きさ、形状、位置等は、図１３に示される例以外であってももちろんよく、領域２３０の中であれば、何処にどのように設けるようにしてもよい。また、上述したスロウ動作の判定条件（例えば、時間Ｔ１やＴ２等）も任意であり、上述した条件に限定されない。
【０１３３】
ただし、上述したように、スロウ領域２３２を領域２３０の上側に設け、上述したような判定条件を設けることにより、図１５に示されるように、ユーザが行うスロウ操作と、LCD６１に表示される選局動画と、制御対象の録画装置２３の位置を関連付けることができる。つまり、ユーザが、アナログコントローラ７１の操作部８２を、所望の放送局の番組表を制御対象の録画装置２３（放送波受信装置２３Ａ）に対して投げるようなスロウ動作を行うように（録画装置２３の方向に）動かすと、LCD６１には、選択された放送局の番組表が録画装置２３（放送波受信装置２３Ａ）の方向に投げられるように動く選局動画（アニメーション）が表示され、その投げられた番組表の移動先の録画装置２３（放送波受信装置２３Ａ）において選局が行われ、その移動先の録画装置２３に接続される映像表示音声再生装置２４の表示が、選局された放送局の番組に切り替わる。このようにユーザの操作と制御結果が繋がるように演出されるので、ユーザは、より直感的に操作対象を把握し、違和感無く選局操作を行うことができる。
【０１３４】
なお、以上においては、ユーザが、アナログコントローラ７１を用いて、スロウ動作により選局指示を行うように説明したが、アナログコントローラ７１の操作方法はどのようなものであってもよく、例えば、以下に説明する「擬似クリック動作」であってもよい。
【０１３５】
例えばパーソナルコンピュータ等で使用されるユーザインタフェースであるマウスにおいて、クリックとは、マウスに設けられたボタンを１回押圧して放す操作方法のことであり、狭義には、そのボタンを押圧して離す操作を、予め規定した比較的短い時間内に行うことを示す。このようなクリックを行うことにより、ユーザは、GUI画面上に設けられたボタンやアイコンを指定したり、メニュー画面等新たなウィンドウを開いたりすることができる。
【０１３６】
擬似クリック動作とは、アナログコントローラ７１において、このようなクリックと擬制する操作方法のことを示す。
【０１３７】
図１６は、擬似クリック動作の例を示す図である。
【０１３８】
図１６Ａに示されるように、操作部８２の可動範囲を示す領域２６０において、Ａ、Ａ'、Ｂ、Ｂ'に囲まれる所定の大きさの部分領域をクリック領域２６１として予め設定しておく。領域２６０のクリック領域２６１以外の部分は、操作部８２が移動しても擬似クリック動作として検出されない不感帯２６２である。
【０１３９】
ユーザは、図１６Ａに示されるように、領域２６０中央の原位置に位置する操作部８２を、図１６Ｂの矢印２７１に示されるように、クリック領域２６１内の領域２６０の外側の端まで（線分Ｂ−Ｂ'に当たるまで）動かし、それ以上動かなくなった状態で、操作部８２を離す。ユーザが操作部８２を離すと、操作部８２は、図１６Ｃの矢印２７２に示されるように、原位置（領域２６０の中央）まで戻る。このような操作を、マウス操作におけるクリックと擬制する「擬似クリック動作」と定義する。
【０１４０】
つまり、入力受付部１６１は、アナログコントローラ７１からの出力信号に基づいて、クリック領域２６１内において、予め規定された所定の距離以上移動し、領域２６０の外側の端である線分Ｂ−Ｂ'まで達し、その後、移動向きを変えて原位置に向かって移動し、クリック領域２６１の外に出るという操作部８２の動きを、予め規定された所定の時間内に検出した場合、その動作を「擬似クリック動作」として検出し、それに応じた処理を行う。
【０１４１】
「擬似クリック動作」における、ユーザの動きについて説明すると、ユーザは、操作部８２を用いて可動範囲の縁の所定の場所を１回ノックするような感じで、操作部８２を可動範囲のクリック領域２６１の外側の端に当て、その直後操作部８２から手を離す。ユーザの手が離れると操作部８２は、原位置へ戻る。
【０１４２】
このような擬似クリック動作を選局指示として設定するようにしてもよい。なお、以上のような擬似クリック動作は、１回のアクションで行われるので、操作は容易であるが、換言すると、ユーザが意図していないのに偶然行われてしまう恐れがある。そこで、以上のような擬似クリック動作を予め規定された所定の時間内に２回行うことを「擬似ダブルクリック動作」として定義するようにしてもよい。
【０１４３】
擬似ダブルクリック動作とは、マウス操作におけるダブルクリックに擬制する操作方法であり、１回の動作は、上述した擬似クリック動作と同様である。
【０１４４】
この擬似ダブルクリック動作を選局指示とすることにより、表示制御端末１１は、ユーザの誤操作による誤入力を抑制することができる。
【０１４５】
なお、アナログコントローラの形状は上述した以外であってもよい。図１７は、アナログコントローラの他の例を示す側面図である。
【０１４６】
図１７において、アナログコントローラ２８１は、半球状に露出したベース部２９１、および円筒状の操作部２９２により構成される。操作部２９２は、上述した操作部８２と同様に、ユーザの指でつままれたり、その指の腹が乗せられたりして、ベース部２９１の表面で形成される半球面上を移動するように（例えば図１７の両矢印で示されるように）操作される。
【０１４７】
操作部２９２は、ベース部２９１の表面に固定されている。従って、ユーザにより操作部２９２が動かされると、ベース部２９１は、球面の中心点２９３を軸として、その方向に回転する。このような構成により、操作部２９２は、ベース部２９１の表面上（球面上）を、所定の範囲内で移動可能に設けられている。
【０１４８】
この図１７に示されるアナログコントローラ２８１は、操作部２９２が平面でなく球面上を移動する以外は、図４のアナログコントローラ７１と同様に動作するのでその詳細の説明は省略する。表示制御端末１１にこのようなアナログコントローラ２８１を設け、ユーザがこのアナログコントローラ２８１を操作して選局指示を行うようにしてもよい。
【０１４９】
また、ユーザが選局指示を行う入力部１１１は、アナログコントローラ以外のユーザインタフェースであってももちろんよく、例えば、LCD６１にタッチパッドを設け、ユーザがそのタッチパッドに対してタッチペンや指により選局指示を入力するようにしてもよい。
【０１５０】
例えば、図１８に示されるように、ユーザが、アナログコントローラ７１の代わりに、タッチペン３０１（または指）を用いて所定の時間内にLCD６１上（タッチパッド上）で図中下から上に（矢印）動かす動作をスロウ動作とし、表示制御端末１１が、このようなスロウ動作を選局指示として検出するようにしてもよい。この場合も、図１８に示されるように、スロウ動作が、制御対象である録画装置２３に向かっての動作となるので、ユーザは、直感的に制御対象を把握することができ、違和感無く選局操作を行うことができる。
【０１５１】
なお、このとき、番組表表示画面２０１において、フォーカス２０２の位置に関係なく、ユーザがスロウ操作を行った場所のチャンネルが選局されるようにしてももちろんよい。
【０１５２】
また、以上においては、表示制御端末１１は、番組情報（EPGデータ）を、ネットワークI/F１０５を介して、番組情報サーバ４１より取得するように説明したが、番組情報の提供元は、これに限らず何処であってもよい。例えば、表示制御端末１１が、録画装置が放送波より取得して保存している番組情報（EPGデータ）を、その録画装置より取得するようにしてもよいし、家庭内LAN１内に設けられる、DLNA（Digital Living Network Alliance）に対応するサーバより取得するようにしてもよい。また、表示制御端末１１が放送波を受信する機能を有し、受信した放送波より、定期的に放送波に含めて供給される番組情報を抽出するようにしてもよい。
【０１５３】
図１９は、表示制御端末１１の内部の構成の他の例を示すブロック図である。
【０１５４】
図１９において、表示制御端末１１は、図６に示される構成の他に、放送波受信部３１１を有している。放送波受信部３１１は、バス１００に接続されており、例えば録画装置２３の放送波受信装置２３Ａと同様の機能を有し、放送局より放送される放送波を受信し、その放送信号に含まれる番組情報（EPGデータ）を抽出し、バス１００を介してデータ保存部１０４に供給する。
【０１５５】
このような構成により、家庭内LAN１が外部のネットワーク３１に接続されていなくても、上述したような録画装置２３を制御する表示制御端末１１を実現することができる。
【０１５６】
なお、以上においては、録画装置２３を制御する場合について説明したが、録画装置２５を制御する場合も同様である。
【０１５７】
また、以上においてはテレビジョン放送について説明したが、放送波は、テレビジョン信号以外のものであってももちろんよい。つまり、放送波を受信する放送波受信装置２３Ａや放送波受信装置２５Ａは、テレビジョン信号以外の放送波を受信し、表示制御端末１１が、その放送の番組表に基づいて、放送波の受信周波数を制御することにより、それらの放送波受信装置による選局を制御するようにしてもよい。
【０１５８】
ところで、以上においては、ユーザが表示制御端末１１に設けられたアナログコントローラ７１を操作して、操作部８２をスロウ動作させることで選局が行われると説明したが、スロウ動作に選局処理ではなく、録画予約または視聴予約を行う処理が割り当てられるようにしてもよい。すなわち、ユーザによりアナログコントローラ７１が操作されて、操作部８２がスロウ動作すると、表示制御端末１１が、番組の録画予約または視聴予約を行うようにしてもよい。
【０１５９】
そのような場合、図１の表示制御端末１１および録画装置２３の機能ブロックは、例えば、図２０に示すように構成される。なお、図２０において、図７と対応する部分には同一の符号を付してあり、その説明は適宜省略する。また、図２０においては、録画装置２３を表示制御端末１１の制御対象として説明する。
【０１６０】
表示制御端末１１は、通信制御部１５１、機器情報取得部１５２、機器情報保存部１５３、番組情報要求部１５５、番組情報取得部１５６、番組情報記憶部１５７、入力受付部１６１、番組表作成部１６２、制御用表示情報作成部１６３、合成処理部１６４、表示制御部１６５、選局指示部１６６、装置指定部３４１、録画結果情報取得部３４２、録画結果情報記憶部３４３、録画視聴予約情報取得部３４５、録画視聴予約情報記憶部３４６、時刻保持部３４７、時刻判定部３４８、録画視聴予約設定指示部３４９、録画結果表示作成部３５０、および録画視聴予約表示作成部３５１から構成される。
【０１６１】
また、録画装置２３は、機器情報提供部１８１、通信制御部１８２、録画視聴予約設定部３７１、録画視聴予約情報記憶部３７２、録画結果判定部３７３、録画視聴予約実行部３７４、および動画像保存部３７５から構成される。
【０１６２】
装置指定部３４１は、ユーザの指示や実行中のプログラムの指示に基づいて、通信制御部１５１を制御し、制御対象とする装置の指定を行う。例えば、装置指定部３４１は、機器情報保存部１５３を制御してデータ保存部１０４等よりユーザやプログラムに指定されたAV機器の機器情報を読み出し、その機器情報を通信制御部１５１に供給し、その機器情報に対応するAV機器、例えば録画装置２３を制御対象の装置として設定する。
【０１６３】
録画結果情報取得部３４２は、通信制御部１５１を制御して、ネットワークI/F１０５に、例えば録画装置２３に対して番組の録画が成功したか否かを示す録画結果の情報を要求させる。その要求に応じて録画装置２３より録画結果の情報が供給されると、録画結果情報取得部３４２は、通信制御部１５１を制御し、ネットワークI/F１０５に、その録画結果の情報を取得させる。録画結果の情報が取得されると録画結果情報取得部３４２は、その録画結果の情報を録画結果情報記憶部３４３に供給する。録画結果情報記憶部３４３は、録画結果情報取得部３４２から供給された録画結果の情報をデータ保存部１０４に保存させる。
【０１６４】
録画視聴予約情報取得部３４５は、通信制御部１５１を制御して、ネットワークI/F１０５に、例えば録画装置２３に対して録画または視聴が予約された番組を示す情報である予約情報の送信を要求させる。その要求に応じて録画装置２３より予約情報が供給されると、録画視聴予約情報取得部３４５は、通信制御部１５１を制御し、ネットワークI/F１０５に、その予約情報を取得させる。予約情報が取得されると録画視聴予約情報取得部３４５は、その予約情報を録画視聴予約情報記憶部３４６に供給する。録画視聴予約情報記憶部３４６は、録画視聴予約情報取得部３４５から供給された予約情報をデータ保存部１０４に保存させる。
【０１６５】
時刻保持部３４７は時計し、現在時刻を時刻判定部３４８に供給する。時刻判定部３４８は、入力受付部１６１から、ユーザにより指定された番組の録画予約または選局の要求を受けると、必要に応じて指定された番組の放送開始時刻と、時刻保持部３４７から供給された現在時刻とを比較して、番組の放送開始時刻が現在時刻よりも後の時刻か否かを判定する。時刻判定部３４８は、番組の放送開始時刻が現在時刻よりも後の時刻か否かの判定結果に応じて、選局指示部１６６に指定された番組の選局を指示するか、または録画視聴予約設定指示部３４９に録画予約、若しくは視聴予約を指示する。
【０１６６】
選局指示部１６６は、時刻判定部３４８の指示に基づいて、通信制御部１５１を介してネットワークI/F１０５を制御し、制御対象である録画装置２３に対して選局を指示する。録画視聴予約設定指示部３４９は、時刻判定部３４８の指示に基づいて、通信制御部１５１を介してネットワークI/F１０５を制御し、録画予約または視聴予約を指示する設定要求を制御対象である録画装置２３に送信させる。
【０１６７】
録画結果表示作成部３５０は、録画結果情報記憶部３４３を制御し、データ保存部１０４より録画結果の情報を読み出し、例えば、番組表における録画がされた番組の枠に付す、録画がされたことを表す画像を作成する。また、録画結果表示作成部３５０は、作成した画像を合成処理部１６４に供給する。
【０１６８】
録画視聴予約表示作成部３５１は、録画視聴予約情報記憶部３４６を制御し、データ保存部１０４より予約情報を読み出し、例えば、番組表における録画予約または視聴予約がされている番組の枠に付す、録画または視聴が予約されていることを表す画像を作成する。また、録画視聴予約表示作成部３５１は、作成した画像を合成処理部１６４に供給する。
【０１６９】
次に、録画装置２３について説明する。通信制御部１８２は、表示制御端末１１と通信を行い、表示制御端末１１から送信されてきた、選局の指示、設定要求、機器情報の提供の要求、予約情報の要求、録画結果の情報の要求などを受信する。また、通信制御部１８２は、表示制御端末１１からの各種の要求に応じて、機器情報、予約情報、録画結果の情報などを表示制御端末１１に送信する。
【０１７０】
録画視聴予約設定部３７１は、表示制御端末１１からの録画予約または視聴予約の設定要求に応じて、その録画または視聴の予約情報を録画視聴予約情報記憶部３７２に供給する。
【０１７１】
録画視聴予約情報記憶部３７２は、録画視聴予約設定部３７１から供給される録画または視聴の予約情報を記憶する。また、録画視聴予約情報記憶部３７２は、表示制御端末１１からの録画または視聴の予約情報の要求に応じて、録画または視聴の予約情報を通信制御部１８２を介して表示制御端末１１に送信する。
【０１７２】
録画結果判定部３７３は、表示制御端末１１からの録画結果の情報の要求に応じて、録画視聴予約実行部３７４によって実行された録画結果を判定し、その結果得られる録画結果の情報を通信制御部１８２を介して表示制御端末１１に送信する。
【０１７３】
録画視聴予約実行部３７４は、録画視聴予約情報記憶部３７２に記憶された録画または視聴の予約情報に基づいて、予約録画または予約視聴の実行をする。すなわち、録画視聴予約実行部３７４は、録画の予約情報に基づいて、放送波受信装置２３Ａによって受信される番組の画像や音声の信号を、動画像保存部３７５に供給することにより、番組を録画する。さらに、録画視聴予約実行部３７４は、視聴の予約情報に基づいて、放送波受信装置２３Ａによって受信される番組の画像や音声の信号を、録画装置２３に接続された映像表示音声再生装置２４に供給する。
【０１７４】
また、録画視聴予約実行部３７４は、通信制御部１８２から選局の指示が供給されると、その指示にしたがって選局し、放送波受信装置２３Ａによって受信されるその局の番組の画像や音声の信号を、録画装置２３に接続された映像表示音声再生装置２４に供給する。動画像保存部３７５は、録画視聴予約実行部３７４から供給される画像や音声の信号を記憶する。
【０１７５】
ユーザは、図２０に示した表示制御端末１１を操作することで、録画装置２３に対して録画予約や視聴予約、選局などを指示させることができる。例えば、ユーザが表示制御端末１１を操作して、番組の録画予約を行わせる場合、図１０に示したようにLCD６１に番組表が表示されている状態で、実行ボタン６４を操作するか、オプションボタン６３を操作するか、またはアナログコントローラ７１を操作することにより、番組の録画予約を行わせることができる。
【０１７６】
以下、表示制御端末１１がユーザの操作に応じて、番組の録画予約を行う処理である、録画予約制御処理について説明する。
【０１７７】
まず、図２１のフローチャートを参照して、実行ボタン６４が操作されて番組の録画予約が行われる処理である、実行ボタン操作による録画予約制御処理について説明する。
【０１７８】
ユーザが入力部１１１を操作して、番組表の表示を指示すると、ステップＳ５１において、表示制御部１６５は、番組表表示画面をLCD６１に表示させる。
【０１７９】
すなわち、番組表作成部１６２は、入力受付部１６１からの指示に応じて、番組情報記憶部１５７を制御し、データ保存部１０４より番組情報を読み出してLCD６１の表示部分の番組表を作成する。そして、番組表作成部１６２は、作成した番組表を合成処理部１６４に供給する。制御用表示情報作成部１６３は、制御用表示情報を作成して合成処理部１６４に供給する。
【０１８０】
また、録画結果表示作成部３５０は、必要に応じて録画結果情報記憶部３４３を制御してデータ保存部１０４より録画結果の情報を読み出し、番組の録画がされたことを表す画像を作成して合成処理部１６４に供給する。
【０１８１】
さらに、録画視聴予約表示作成部３５１は、必要に応じて録画視聴予約情報記憶部３４６を制御してデータ保存部１０４より予約情報を読み出し、録画または視聴が予約されていることを表す画像を作成して合成処理部１６４に供給する。
【０１８２】
合成処理部１６４は、番組表作成部１６２からの番組表、制御用表示情報作成部１６３からの制御用表示情報、録画結果表示作成部３５０からの画像、および録画視聴予約表示作成部３５１からの画像を合成し、番組表表示画面を作成する。そして、表示制御部１６５は、合成処理部１６４により作成された番組表表示画面をLCD６１に表示させる。
【０１８３】
これにより、LCD６１には、例えば図１０に示した番組表表示画面２０１が表示される。
【０１８４】
番組表表示画面２０１がLCD６１に表示されると、ステップＳ５２において、入力受付部１６１は入力部１１１を制御し、ユーザからの入力の受け付けを開始する。
【０１８５】
ユーザは、LCD６１に番組表表示画面２０１が表示されると、十字ボタン６２を操作してフォーカス２０２を移動させ、番組表上の所望する番組を指定することができる。ステップＳ５３において、入力受付部１６１は、ユーザによる十字ボタン６２の操作に対して、フォーカス２０２により指定されている番組を特定する。
【０１８６】
ステップＳ５４において、入力受付部１６１は、ユーザにより実行ボタン６４が操作されたか否かを判定する。ステップＳ５４において、実行ボタン６４が操作されていないと判定された場合、録画予約が指示されていないので、表示制御端末１１はユーザの操作に応じた処理を行い、処理はステップＳ５９に進む。
【０１８７】
これに対して、ステップＳ５４において、実行ボタン６４が操作されたと判定された場合、ステップＳ５５において、表示制御部１６５は、録画予約画面をLCD６１に表示させる。すなわち、制御用表示情報作成部１６３は、ユーザの操作に応じて入力受付部１６１から録画予約画面の作成の要求が供給されると、その要求に応じて録画予約画面を作成し、合成処理部１６４を介して表示制御部１６５に供給する。そして、表示制御部１６５は、制御用表示情報作成部１６３から供給された録画予約画面をLCD６１に供給して表示させる。
【０１８８】
これにより、LCD６１には、例えば、図１２に示した録画予約画面２２１が表示される。ここで、録画予約画面２２１には、例えば番組の録画時刻やチャンネルなどの録画予約設定に関する情報、つまりフォーカス２０２により指定された番組に関する情報が表示される。ユーザは、十字ボタン６２を操作してフォーカス２２２を移動させ、フォーカス２２２により、図１２において文字「予約確定」が表示されている予約確定ボタンが選択されている状態で実行ボタン６４を操作することによって、番組表表示画面２０１において指定された番組の録画予約を行うことができる。
【０１８９】
なお、ユーザが、十字ボタン６２等を操作して、録画予約画面２２１に表示されている録画予約設定に関する情報、例えば録画日や録画時刻などを変更することにより、録画予約させる番組の録画時刻や、録画予約させる番組自体を変更することができるようにしてもよい。
【０１９０】
ステップＳ５６において、入力受付部１６１は、予約確定ボタンが操作されたか否かを判定する。すなわち、入力受付部１６１は、図１２の録画予約画面２２１において、フォーカス２２２により文字「予約確定」が表示されている予約確定ボタンが選択されている状態で、ユーザにより実行ボタン６４が操作されたか否かを判定する。
【０１９１】
ステップＳ５６において、予約確定ボタンが操作されていないと判定された場合、番組の録画予約は行われないので、表示制御端末１１はユーザの操作に応じた処理を行い、処理はステップＳ５９に進む。
【０１９２】
これに対して、ステップＳ５６において、予約確定ボタンが操作されたと判定された場合、ステップＳ５７において、表示制御端末１１は録画予約指示処理を行う。なお、録画予約指示処理の詳細は後述するが、この録画予約指示処理において、表示制御端末１１は、録画装置２３に対して録画予約の設定要求を送信し、この設定要求に応じて録画装置２３から送信されてくる予約情報を受信して記憶する。
【０１９３】
ステップＳ５８において、表示制御部１６５は、LCD６１に録画予約の可否を表示させる。すなわち、録画装置２３が番組の録画予約に成功すると、録画装置２３から表示制御端末１１には、録画が予約された番組を示す予約情報が送信されてくるので、表示制御端末１１は、この予約情報を受信して記憶する。
【０１９４】
録画視聴予約表示作成部３５１は、予約情報が受信されて記憶されると、録画視聴予約情報記憶部３４６を制御してデータ保存部１０４より予約情報を読み出し、録画が予約されていることを表す画像を作成する。そして、録画視聴予約表示作成部３５１は、作成した画像を合成処理部１６４を介して表示制御部１６５に供給し、表示制御部１６５は、録画視聴予約表示作成部３５１から供給された、録画が予約されていることを表す画像を、録画予約の可否としてLCD６１に表示させる。
【０１９５】
これにより、LCD６１には、例えば図２２に示すように、録画予約の可否を表す画像として、録画予約がなされたことを表す録画予約アイコン３９１が表示される。
【０１９６】
図２２では、図１０に示した番組表表示画面２０１の午後１時５分から「チャンネルＢ」の放送局より放送される番組「情報Ｂ１」の欄に、録画予約アイコン３９１が表示されている。この録画予約アイコン３９１は、番組の録画予約がされていることを表す文字列「録予」のアイコンであり、録画予約アイコン３９１によれば、ユーザは、番組「情報Ｂ１」の録画予約がされていることを即座に認識することができる。
【０１９７】
また、録画装置２３が番組の録画予約に失敗すると、録画装置２３から表示制御端末１１には、録画予約に失敗した旨の予約情報が送信されてくるので、表示制御端末１１は、この予約情報を受信する。
【０１９８】
すると、録画視聴予約表示作成部３５１は、受信された録画予約に失敗した旨の予約情報に応じて、例えば、「録画予約ができませんでした」などの録画予約に失敗した旨のメッセージを表示させる画像を作成し、合成処理部１６４を介して表示制御部１６５に供給する。そして、表示制御部１６５は、録画視聴予約表示作成部３５１から供給された画像に基づいて、録画予約に失敗した旨のメッセージを録画予約の可否としてLCD６１に表示させる。
【０１９９】
図２１のフローチャートの説明に戻り、ステップＳ５８において、録画予約の可否が表示されるか、ステップＳ５６において予約確定ボタンが操作されていないと判定されるか、またはステップＳ５４において実行ボタン６４が操作されていないと判定されると、ステップＳ５９において、入力受付部１６１は、録画予約制御処理を終了するか否かを判定する。
【０２００】
ステップＳ５９において、終了しないと判定された場合、処理はステップＳ５３に戻り、上述した処理が繰り返される。
【０２０１】
一方、ステップＳ５９において、終了すると判定された場合、表示制御端末１１の各部は行っている処理を終了し、録画予約制御処理は終了する。
【０２０２】
このようにして、表示制御端末１１は、LCD６１に番組表表示画面２０１が表示されている状態においてユーザにより実行ボタン６４が操作されると、ユーザにより指定された番組の録画予約を行い、その録画予約の可否を表示する。
【０２０３】
次に、図２３のフローチャートを参照して、図２１のステップＳ５７の処理に対応する録画予約指示処理について説明する。
【０２０４】
ステップＳ８１において、録画視聴予約設定指示部３４９は、番組の録画予約を指示する録画予約の設定要求を生成する。すなわち、ユーザにより番組が指定されて、録画予約画面２２１上の予約確定ボタンが操作されると、入力受付部１６１は、時刻判定部３４８を介して録画視聴予約設定指示部３４９に、指定された番組の録画予約を指示する。録画視聴予約設定指示部３４９は、入力受付部１６１の指示に応じて設定要求を生成し、通信制御部１５１に供給する。
【０２０５】
ここで、番組の録画予約の設定要求には、例えば番組の放送開始時刻や放送局名などの、録画を予約する番組を特定する情報が含まれている。
【０２０６】
ステップＳ８２において、通信制御部１５１は、ネットワークI/F１０５を制御し、録画視聴予約設定指示部３４９から供給された設定要求を、装置指定部３４１から供給された機器情報により特定される録画装置２３に送信させる。
【０２０７】
すると、録画装置２３の通信制御部１８２は、表示制御端末１１のネットワークI/F１０５から送信されてきた設定要求を受信し、録画視聴予約設定部３７１に供給する。録画視聴予約設定部３７１は、通信制御部１８２から供給された設定要求に応じて、その設定要求により録画予約された番組を示す予約情報を録画視聴予約情報記憶部３７２に供給する。録画視聴予約情報記憶部３７２は、録画視聴予約設定部３７１から供給された予約情報を記憶する。
【０２０８】
また、表示制御端末１１の録画視聴予約情報取得部３４５は、通信制御部１５１を制御して、ネットワークI/F１０５に予約情報の送信を要求させる。録画装置２３の通信制御部１８２は、表示制御端末１１のネットワークI/F１０５から送信されてきた要求を受信して録画視聴予約情報記憶部３７２に供給する。
【０２０９】
録画視聴予約情報記憶部３７２は、番組の録画予約に成功した場合、通信制御部１８２から供給された要求に応じて、記憶している録画の予約情報を通信制御部１８２に供給し、通信制御部１８２は、録画視聴予約情報記憶部３７２から供給された予約情報を表示制御端末１１に送信する。
【０２１０】
これに対して、番組の録画予約に失敗した場合には、録画視聴予約情報記憶部３７２には、予約情報が記憶されないので、録画視聴予約情報記憶部３７２は、通信制御部１８２から予約情報の送信の要求が供給されると、番組の録画予約に失敗した旨の予約情報を作成して通信制御部１８２に供給し、表示制御端末１１に送信させる。
【０２１１】
ステップＳ８３において、通信制御部１５１は、ネットワークI/F１０５を制御して、録画装置２３から送信されてきた予約情報を受信させ、受信させた予約情報を録画視聴予約情報取得部３４５に供給する。録画視聴予約情報取得部３４５は、通信制御部１５１から供給された予約情報を録画視聴予約情報記憶部３４６に供給する。
【０２１２】
なお、番組の録画予約に失敗した場合、つまり録画装置２３から録画予約に失敗した旨の予約情報が送信されてきた場合、通信制御部１５１は、ネットワークI/F１０５を制御して、録画装置２３から送信されてきた録画予約に失敗した旨の予約情報を受信させ、受信させた情報を録画視聴予約情報取得部３４５、および録画視聴予約情報記憶部３４６を介して録画視聴予約表示作成部３５１に供給して、処理は図２１のステップＳ５８に進む。この場合、ステップＳ５８において、録画視聴予約表示作成部３５１により、録画予約に失敗した旨のメッセージを表示させる画像が作成される。
【０２１３】
ステップＳ８４において、録画視聴予約情報記憶部３４６は、録画視聴予約情報取得部３４５から供給された予約情報をデータ保存部１０４に供給して記憶させ、処理は図２１のステップＳ５８に進む。
【０２１４】
このようにして、表示制御端末１１は、ユーザにより指定された番組の録画予約の設定要求を録画装置２３に送信して、録画予約を行う。なお、表示制御端末１１がユーザの操作に応じて、番組の視聴予約を行う場合においても、表示制御端末１１は録画予約制御処理と同様の処理を行うことにより、視聴予約を行うことができる。
【０２１５】
すなわち、そのような場合、表示制御端末１１は、図２１のステップＳ５５において、録画予約画面２２１ではなく、指定された番組を視聴予約するための視聴予約画面を表示し、ステップＳ５６において、ユーザの操作により視聴予約が指示されると、ステップＳ５７において、録画予約の設定要求に換えて視聴予約を指示する視聴予約の設定要求を録画装置２３に送信する。
【０２１６】
そして、録画装置２３から視聴予約の予約情報、または視聴予約に失敗した旨の予約情報が送信されてくると、その予約情報を受信し、ステップＳ５８において、視聴予約の可否を表示する。このようにすることで、表示制御端末１１は、録画予約と同様に視聴予約を行うことができる。
【０２１７】
また、ステップＳ５４において、実行ボタン６４が操作されたと判定された場合に、録画予約を行うか、視聴予約を行うかを選択する画面を表示させ、ステップＳ５５以降において、ユーザにより選択された処理、つまり録画予約または視聴予約を行うようにしてもよい。
【０２１８】
次に、図２４のフローチャートを参照して、ユーザによりオプションボタン６３が操作されることで、番組の録画予約が行われる録画予約制御処理について説明する。なお、図２４のステップＳ１１１の処理乃至ステップＳ１１３の処理のそれぞれは、図２１のステップＳ５１の処理乃至ステップＳ５３の処理のそれぞれと同様であるので、その説明は省略する。
【０２１９】
ステップＳ１１３において番組が特定されると、ステップＳ１１４において、入力受付部１６１は、ユーザによりオプションボタン６３が操作されたか否かを判定する。ステップＳ１１４において、オプションボタン６３が操作されていないと判定された場合、表示制御端末１１はユーザの操作に応じた処理を行い、処理はステップＳ１２１に進む。
【０２２０】
これに対して、ステップＳ１１４において、オプションボタン６３が操作されたと判定された場合、ステップＳ１１５において、表示制御部１６５は、制御用表示情報作成部１６３により作成され、合成処理部１６４により番組表表示画面２０１に重畳されたオプション画面をLCD６１に表示させる。
【０２２１】
これにより、LCD６１には、例えば図１１に示したオプション画面２１１が表示される。オプション画面２１１が表示されると、ユーザは、オプション画面２１１上のフォーカス２１２を移動させてメニュー「録画予約する」を選択し、実行ボタン６４を操作することによって番組表表示画面２０１上のフォーカス２０２により指定されている番組を録画予約させることができる。
【０２２２】
LCD６１にオプション画面２１１が表示されると、ステップＳ１１６において、入力受付部１６１は、ユーザにより録画予約が指示されたか否かを判定する。例えば、入力受付部１６１は、フォーカス２１２によりオプション画面２１１上のメニュー「録画予約する」が選択された状態で実行ボタン６４が操作された場合、録画予約が指示されたと判定する。
【０２２３】
ステップＳ１１６において、録画予約が指示されていないと判定された場合、表示制御端末１１はユーザの操作に応じた処理を行い、処理はステップＳ１２１に進む。
【０２２４】
一方、ステップＳ１１６において、録画予約が指示されたと判定された場合、処理はステップＳ１１７に進む。その後、ステップＳ１１７の処理乃至ステップＳ１２１の処理が行われるが、これらの処理は図２１のステップＳ５５の処理乃至ステップＳ５９の処理のそれぞれと同様であるので、その説明は省略する。
【０２２５】
このようにして、表示制御端末１１は、LCD６１に番組表表示画面２０１が表示されている状態においてユーザによりオプションボタン６３が操作されると、オプション画面を表示し、さらにオプション画面のメニューが選択されて、録画予約が指示されると、ユーザにより指定された番組の録画予約を行い、その録画予約の可否を表示する。
【０２２６】
なお、表示制御端末１１がユーザの操作に応じて、番組の視聴予約を行う場合においても、表示制御端末１１は図２４を参照して説明した録画予約制御処理と同様の処理を行うことにより、視聴予約を行うことができる。
【０２２７】
そのような場合、例えばステップＳ１１５の処理において表示されるオプション画面２１１に、メニュー「視聴予約する」などが表示され、そのメニューが選択された状態で実行ボタン６４が操作されると、視聴予約画面が表示されて、ユーザの操作に応じて視聴予約が行われる。
【０２２８】
さらに、ユーザがアナログコントローラ７１を操作すると録画予約が行われるようにしてもよい。以下、図２５のフローチャートを参照して、ユーザによりアナログコントローラ７１が操作されることで、番組の録画予約が行われる録画予約制御処理について説明する。なお、図２５のステップＳ１５１の処理乃至ステップＳ１５３の処理のそれぞれは、図２１のステップＳ５１の処理乃至ステップＳ５３の処理のそれぞれと同様であるので、その説明は省略する。
【０２２９】
ステップＳ１５３において番組が特定されると、ステップＳ１５４において、入力受付部１６１は、ユーザによる録画予約操作を受け付けたか否かを判定する。例えば、LCD６１に図１０に示した番組表表示画面２０１が表示されている状態で、ユーザによりアナログコントローラ７１の操作部８２が操作されて、操作部８２がスロウ動作した場合、つまり、スロウ動作による録画予約の指示がなされた場合、入力受付部１６１は、録画予約操作、すなわちスロウ動作による録画予約の指示を受け付けたと判定する。
【０２３０】
ステップＳ１５４において、録画予約操作を受け付けていないと判定された場合、番組の録画予約は指示されていないので、表示制御端末１１はユーザの操作に応じた処理を行い、処理はステップＳ１５９に進む。
【０２３１】
これに対して、ステップＳ１５４において、録画予約操作を受け付けたと判定された場合、処理はステップＳ１５５に進み、表示制御部１６５は、制御用表示情報作成部１６３により作成された、録画予約の様子をイメージした動画、つまり録画予約の様子を象徴する動画である録画予約動画をLCD６１に表示させる。また、このとき、表示制御部１６５は、ステップＳ１５６において、録画予約動画に応じた音声である録画予約音声を表示制御端末１１の図示せぬスピーカより出力させる。これにより、LCD６１には、例えば図２６に示す録画予約動画が表示される。
【０２３２】
図２６Ａに示されるように、ユーザがアナログコントローラ７１を操作し、操作部８２をスロウ領域２３２が設定されている図中上側にスライドさせると、LCD６１に表示される番組表表示画面２０１のフォーカス２０２は、図２６Ｂに示されるように、フォーカス２０２が指定していた番組を選択し、その番組の番組枠が番組表から切り出され、点線矢印４２１に示されるように傾斜する。そして、番組表から切り出された番組枠（フォーカス２０２）が傾斜すると同時に、切り出された番組枠に重畳されて、番組が録画予約されたことを想起させるような時計の画像４２２が表示される。
【０２３３】
その後、番組表から切り出された番組枠は、図２６Ｃの点線矢印４２３に示されるように、画面上方奥に向かって進んで行くようなアニメーション（録画予約動画）が表示される。そして、この操作時にフォーカス２０２をあてていた番組枠が投げられて飛んでいくようなイメージを与える録画予約動画、つまり番組枠が制御対象に投げられて飛んでいく様子を模した録画予約動画の表示に合わせて、録画予約動画に適したイメージ効果音が録画予約音声として表示制御端末１１の図示せぬスピーカより出力される。
【０２３４】
つまり、通常、ユーザは、表示制御端末１１を制御対象である録画装置２３に向けた状態にし、ユーザ自身の指を用いてアナログコントローラ７１の操作部８２を、スロウ領域２３２が設定されている外側に向けてスライドさせるように動かす（つまり、スロウ動作を行う）。このスロウ動作が検出されると、制御用表示情報作成部１６３は、図２６に示されるような録画予約動画を作成し、表示制御部１６５を制御しLCD６１に表示させる。すると、LCD６１上において、番組表上の録画予約が指示された番組の番組枠は、あたかも制御対象である録画装置２３に向かって進むように表示される。
【０２３５】
図２５のフローチャートの説明に戻り、録画予約動画が表示され、録画予約音声が出力されると、処理はステップＳ１５７に進む。そして、その後、ステップＳ１５７の処理乃至ステップＳ１５９の処理が行われるが、これらの処理は図２１のステップＳ５７の処理乃至ステップＳ５９の処理のそれぞれと同様であるので、その説明は省略する。
【０２３６】
このようにして表示制御端末１１は、LCD６１に番組表表示画面２０１が表示されている状態でアナログコントローラ７１が操作され、操作部８２がスロウ動作すると、ユーザにより指定された番組の録画予約を行い、その録画予約の可否を表示する。
【０２３７】
このように、アナログコントローラ７１が操作されて、操作部８２がスロウ動作すると番組の録画予約を行うことで、ユーザは、アナログコントローラ７１を操作するという簡単な操作だけで、すなわち１動作だけで番組の録画予約を指示することができる。
【０２３８】
また、表示制御端末１１は、LCD６１に番組表表示画面２０１を表示させるので、ユーザは、その表示された番組表から録画予約したい番組を確認して録画予約の指示を行うことができる。すなわち、表示制御端末１１は、従来の通常のリモートコントローラの場合よりも、録画予約操作の利便性を向上させることができる。
【０２３９】
さらに、このような録画予約操作により、ユーザが表示制御端末１１を向けた（番組枠が進んで行った先の）、録画装置２３に対して録画予約が指示されるので、つまり表示制御端末１１が制御対象の録画装置２３に対して指示を送るという概念と、ユーザがアナログコントローラ７１の操作部８２を制御対象の録画装置２３の方向にスライドさせるという動作とが一致するので、ユーザは直感的に制御対象を把握し、違和感無く録画予約操作を行うことができる。
【０２４０】
なお、表示制御端末１１がユーザの操作に応じて、番組の視聴予約を行う場合においても、表示制御端末１１は図２５を参照して説明した録画予約制御処理と同様の処理を行うことにより、視聴予約を行うことができる。
【０２４１】
すなわち、そのような場合、表示制御端末１１は、図２５のステップＳ１５４において、アナログコントローラ７１が操作されて操作部８２がスロウ動作すると、視聴予約が指示されたと判定し、ステップＳ１５５の処理およびステップＳ１５６の処理において、録画予約動画および録画予約音声に換えて、視聴予約の様子を象徴する動画である視聴予約動画と、その視聴予約動画に対応する視聴予約音声とを再生する。この視聴予約動画も、録画予約動画と同様に、選択された番組の番組枠が制御対象に投げられて飛んでいく様子が模された動画とされる。
【０２４２】
そして、ステップＳ１５７において、表示制御端末１１は、録画予約の設定情報に換えて視聴予約の設定情報を録画装置２３に送信し、その設定情報に対応する視聴予約の予約情報を受信して、視聴予約の可否を表示する。
【０２４３】
ところで、LCD６１に番組表表示画面２０１が表示されている状態でのアナログコントローラ７１の操作に、選局や録画予約など複数の処理を割り当てようとした場合、新たな操作仕様の追加や、所定のボタンの２重押しなどの複雑な操作が必要となってしまう。
【０２４４】
そこで、アナログコントローラ７１の操作に複数の処理を割り当てる場合においても、ユーザが簡単な操作で所望する処理の実行を指示できるように、例えばアナログコントローラ７１が操作されて、操作部８２がスロウ動作したときに、指定された番組の放送開始時刻に応じて、その指定された番組が表示されるように選局が行われるか、または指定された番組の録画予約が行われるかが定められるようにしてもよい。
【０２４５】
以下、図２７のフローチャートを参照して、表示制御端末１１が番組の放送開始時刻に応じて、録画装置２３に対して選局を指示するか、または録画予約を指示する処理である、スロウ動作による制御処理について説明する。
【０２４６】
なお、図２７のステップＳ１８１の処理乃至ステップＳ１８３の処理のそれぞれは、図２１のステップＳ５１の処理乃至ステップＳ５３の処理のそれぞれと同様であるので、その説明は省略する。
【０２４７】
ステップＳ１８３において番組が特定されると、ステップＳ１８４において、入力受付部１６１は、スロウ動作がなされたか否かを判定する。すなわち、入力受付部１６１は、ユーザによりアナログコントローラ７１が操作され、操作部８２がスロウ動作することによって、選局または録画予約の指示を受け付けたか否かを判定する。
【０２４８】
ステップＳ１８４において、スロウ動作がなされなかったと判定された場合、表示制御端末１１はユーザの操作に応じた処理を行い、処理はステップＳ１９３に進む。
【０２４９】
一方、ステップＳ１８４において、スロウ動作がなされたと判定された場合、入力受付部１６１は、時刻判定部３４８に対して、ユーザにより指定された番組の録画予約または選局の何れかが行われるように処理の実行を要求し、処理はステップＳ１８５に進む。
【０２５０】
ステップＳ１８５において、時刻判定部３４８は、入力受付部１６１からの要求に応じて、ユーザにより指定された番組の放送開始時刻が、時刻保持部３４７から供給された現在時刻よりも後の時刻であるか否かを判定する。
【０２５１】
ステップＳ１８５において、後の時刻であると判定された場合、時刻判定部３４８は、ユーザにより指定された番組の放送開始時刻は、現在時刻よりも後の時刻であり、まだその番組の放送は開始されていないので、その番組は、ユーザが将来見たい、すなわち後で見たい番組であるとする。そして、時刻判定部３４８は、録画視聴予約設定指示部３４９に対して、ユーザにより指定された番組の録画予約を指示するとともに、制御用表示情報作成部１６３に対して、録画予約動画の作成を指示し、処理はステップＳ１８６に進む。
【０２５２】
その後、ステップＳ１８６の処理乃至ステップＳ１８９の処理が行われて、ユーザにより指定された番組の録画予約が行われるが、これらの処理は図２５のステップＳ１５５の処理乃至ステップＳ１５８の処理のそれぞれと同様であるので、その説明は省略する。そして、ステップＳ１８９において、録画予約の可否が表示されると、処理はステップＳ１９３に進む。
【０２５３】
また、ステップＳ１８５において、番組の放送開始時刻が現在時刻よりも後の時刻でないと判定された場合、つまりユーザにより指定された番組の放送が既に開始されている場合（放送が終了した場合も含む）、ユーザにより指定された番組は、既に放送が開始されているので、時刻判定部３４８は、ユーザにより指定された番組が、ユーザにとって今すぐに視聴したい番組であるとする。そして、時刻判定部３４８は、選局指示部１６６に対して、ユーザにより指定された番組の選局を指示するとともに、制御用表示情報作成部１６３に対して、選局動画の作成を指示し、処理はステップＳ１９０に進む。
【０２５４】
ステップＳ１９０において、表示制御部１６５は、制御用表示情報作成部１６３により作成された選局動画をLCD６１に表示させる。すなわち、制御用表示情報作成部１６３は、時刻判定部３４８の指示に応じて選局動画を作成して、合成処理部１６４を介して表示制御部１６５に供給し、表示制御部１６５は、制御用表示情報作成部１６３から供給された選局動画をLCD６１に供給して表示させる。
【０２５５】
ステップＳ１９１において、表示制御部１６５は、選局動画に応じた音声である選局音声を表示制御端末１１の図示せぬスピーカより出力させる。これにより、例えば図１４に示した選局動画がLCD６１に表示され、対応する選局音声が出力される。
【０２５６】
ステップＳ１９２において、選局指示部１６６は、時刻判定部３４８の指示に応じて、ユーザにより指定された番組を放送する局を選択する選局指示を、通信制御部１５１を介してネットワークI/F１０５に供給し、処理対象の録画装置２３に送信させて、処理はステップＳ１９３に進む。
【０２５７】
ステップＳ１９２において選局指示が送信されるか、ステップＳ１８９において録画予約の可否が表示されるか、またはステップＳ１８４においてスロウ動作がなされていないと判定されると、ステップＳ１９３において、入力受付部１６１は、制御処理を終了するか否かを判定する。
【０２５８】
ステップＳ１９３において、終了しないと判定された場合、処理はステップＳ１８３に戻り、上述した処理が繰り返される。
【０２５９】
一方、ステップＳ１９３において、終了すると判定された場合、表示制御端末１１の各部は行っている処理を終了し、制御処理は終了する。
【０２６０】
このようにして、表示制御端末１１は、ユーザにより指定された番組の放送開始時刻に応じて、録画装置２３に対して選局を指示するか、または録画予約を指示する。
【０２６１】
このように、番組の放送開始時刻に応じて、録画装置２３に対して選局を指示するか、または録画予約を指示することで、ユーザは、アナログコントローラ７１を操作するという簡単な操作だけで、すなわち１動作だけで選局を指示したり、番組の録画予約を指示したりすることができる。
【０２６２】
すなわち、ユーザが選局を指示するか、番組の録画予約を指示するかの違いは、ユーザが対象となる番組を今すぐ見たいか、または録画して後で見たいかの違いであり、したがって選局および録画予約のための操作は、ユーザにとっては所定の番組を視聴するために行う操作であるが、ユーザは選局を指示する場合と、録画予約を指示する場合とで異なる操作をする必要があった。
【０２６３】
そこで、ユーザがアナログコントローラ７１を操作して、操作部８２をスロウ動作させるという１つの操作を行うだけで、表示制御端末１１が録画装置２３に対して、ユーザが指定した番組の放送が既に開始されている場合には、選局を行うように指示し、ユーザが指定した番組の放送がまだ開始されていない場合には、番組の録画予約を指示するようにすることで、ユーザは、今すぐ番組を視聴するか、または番組を録画させて、後でその録画された番組を視聴するかといった違いだけで異なる操作を行うことなく、簡単な操作で選局を指示したり、番組の録画予約を指示したりすることができる。
【０２６４】
なお、表示制御端末１１が番組の放送開始時刻に応じて、録画装置２３に対して選局を指示するか、または視聴予約を指示するようにしてもよい。
【０２６５】
そのような場合、図２７のステップＳ１８５において、番組の放送開始時刻が現在時刻よりも後の時刻であると判定された場合に、ステップＳ１８６の処理乃至ステップＳ１８９の処理において、視聴予約動画および視聴予約音声が再生されるとともに、番組の視聴予約を指示する設定要求が録画装置２３に送信されて視聴予約が行われる。
【０２６６】
また、ステップＳ１８５において、番組の放送開始時刻が現在時刻よりも後の時刻であると判定された場合に、ユーザが録画予約を指示するか、または視聴予約を指示するかを選択できるようにしてもよいし、録画予約、または視聴予約のいずれを指示するかをユーザが予め設定できるようにしてもよい。
【０２６７】
さらに、LCD６１に入力部１１１としてのタッチパネルを重畳させ、例えば、ユーザがスタイラスやユーザ自身の指をLCD６１上で所定の方向にスライドさせる動作をスロウ動作とするようにしてもよい。そのような場合、例えば図１０に示したLCD６１に表示された番組表表示画面２０１の各チャンネルの枠内において、ユーザがスタイラスやユーザ自身の指を図中、上方向、すなわち操作部８２をスロウ動作させるときに移動させる方向と同じ方向に移動させると、表示制御端末１１は、スロウ動作がなされたとし、フォーカス２０２によって指定された番組の録画予約の指示、視聴予約の指示、またはその番組の局の選局の指示を行う。
【０２６８】
上述した一連の処理は、ハードウェアにより実行させることもできるし、ソフトウェアにより実行させることもできる。上述した一連の処理をソフトウェアにより実行させる場合には、そのソフウェアを構成するプログラムが、ネットワークや記録媒体からインストールされる。
【０２６９】
この記録媒体は、例えば、図６や図１９に示されるように、装置本体とは別に、ユーザにプログラムを配信するために配布される、プログラムが記録されている磁気ディスク（フレキシブルディスクを含む）、光ディスク（CD-ROM(Compact Disk-Read Only Memory),DVD(Digital Versatile Disk)を含む）、光磁気ディスク（ＭＤ（Mini-Disk）（登録商標）を含む）、もしくは半導体メモリなどよりなるリムーバブルメディア１２１により構成されるだけでなく、装置本体に予め組み込まれた状態でユーザに配信される、プログラムが記録されているROMや、記憶部に含まれるハードディスクなどで構成される。
【０２７０】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２７１】
また、本明細書において、システムとは、複数の装置により構成される装置全体を表すものである。
【０２７２】
なお、以上において、一つの装置として説明した構成を分割し、複数の装置として構成するようにしてもよい。逆に、以上において複数の装置として説明した構成をまとめて一つの装置として構成されるようにしてもよい。また、各装置の構成に上述した以外の構成を付加するようにしてももちろんよい。さらに、システム全体としての構成や動作が実質的に同じであれば、ある装置の構成の一部を他の装置の構成に含めるようにしてもよい。つまり、本発明の実施の形態は、上述した実施の形態に限定されるものではなく、本発明の要旨を逸脱しない範囲において種々の変更が可能である。
【産業上の利用可能性】
【０２７３】
本発明は、情報処理装置に適用することが可能である。
【図面の簡単な説明】
【０２７４】
【図１】ネットワークの構成例を示すブロック図である。
【図２】本発明を適用した表示制御端末の外観を示す外観図である。
【図３】アナログコントローラの外観を示す上面図である。
【図４】アナログコントローラの外観を示す側面図である。
【図５】操作部の移動例を示す図である。
【図６】表示制御端末の内部の構成例を示すブロック図である。
【図７】表示制御端末が有する機能ブロックの構成例を示す機能ブロック図である。
【図８】番組表表示処理の流れの例を説明するフローチャートである。
【図９】番組表表示処理の流れの例を説明する、図８に続くフローチャートである。
【図１０】番組表表示画面の表示例を示す図である。
【図１１】オプション画面の表示例を示す図である。
【図１２】録画予約画面の表示例を示す図である。
【図１３】スロウ領域の例を示す図である。
【図１４】選局動画の様子の例を示す図である。
【図１５】選局操作の例を示す図である。
【図１６】擬似クリック動作の例を示す図である。
【図１７】アナログコントローラの他の例を示す側面図である。
【図１８】入力部の他の例を示す図である。
【図１９】表示制御端末１１の内部の構成の他の例を示すブロック図である。
【図２０】表示制御端末が有する機能ブロックの他の構成例を示す機能ブロック図である。
【図２１】録画予約制御処理を説明するフローチャートである。
【図２２】番組表表示画面の表示例を示す図である。
【図２３】録画予約指示処理を説明するフローチャートである。
【図２４】録画予約制御処理を説明するフローチャートである。
【図２５】録画予約制御処理を説明するフローチャートである。
【図２６】録画予約動画の様子の例を示す図である。
【図２７】制御処理を説明するフローチャートである。
【符号の説明】
【０２７５】
１１  表示制御端末，  ７１  アナログコントローラ，  ８１  ベース部，  ８２  操作部，  １５１  通信制御部，  １６１  入力受付部，  １６２  番組表作成部，  １６３  制御用表示情報作成部，  １６４  合成処理部，  １６５  表示制御部，  １６６  選局指示部，  １８２  通信制御部，  １８３  選局部  ２０１  番組表表示画面，  ２０２  フォーカス，  ２３２  スロウ領域，  ２３４  スロウ判定変位，  ２６１  クリック領域，  ２９１  ベース部，  ２９２  操作部，  ２９３  中心点，  ３０１  タッチペン，  ３１１  放送波受信部，  ３４８  時刻判定部，  ３４９  録画視聴予約設定指示部，  ３５０  録画結果表示作成部
【図１】
2007208961.tif 000003
【図２】
2007208961.tif 000004
【図３】
2007208961.tif 000005
【図４】
2007208961.tif 000006
【図５】
2007208961.tif 000007
【図６】
2007208961.tif 000008
【図７】
2007208961.tif 000009
【図８】
2007208961.tif 000010
【図９】
2007208961.tif 000011
【図１０】
2007208961.tif 000012
【図１１】
2007208961.tif 000013
【図１２】
2007208961.tif 000014
【図１３】
2007208961.tif 000015
【図１４】
2007208961.tif 000016
【図１５】
2007208961.tif 000017
【図１６】
2007208961.tif 000018
【図１７】
2007208961.tif 000019
【図１８】
2007208961.tif 000020
【図１９】
2007208961.tif 000021
【図２０】
2007208961.tif 000022
【図２１】
2007208961.tif 000023
【図２２】
2007208961.tif 000024
【図２３】
2007208961.tif 000025
【図２４】
2007208961.tif 000026
【図２５】
2007208961.tif 000027
【図２６】
2007208961.tif 000028
【図２７】
2007208961.tif 000029